(57)【要約】【課題】マイクとの間で行われる通信に関する通信方式において１フレーム期間を構成する既定のスロット数以上のマイクとの多重を可能とした上でそれぞれのマイクとの間で通信を行い、音質の良好な音声信号を出力する。【解決手段】ワイヤレスマイクシステムでは、親機３は、ＤＥＣＴ方式における総数５の搬送波と、ＤＥＣＴ方式の１フレーム期間を構成するｎ個のスロットとを用いて、ｍ個のマイク子機との通信に用いる搬送波及びスロットの組を１フレーム期間ごとに設定した通信テーブルを生成する親機制御部２０と、生成された通信テーブルに基づいて、ｍ個のうち該当する個々のマイク子機との間で、ＤＥＣＴ方式を用いた通信を行うｋ個の無線処理部ＷＵ１〜ＷＵｋと、を備える。ｋ個の無線処理部ＷＵ１〜ＷＵｋは、それぞれ同一のクロック信号に基づいて同期して動作する。【選択図】図５
2019118045.tif 000002
【特許請求の範囲】
【請求項１】
時分割多重通信方式に基づく既定数の搬送波と、前記時分割多重通信方式の１フレーム期間を構成するｎ（ｎ：既定の正の整数）個のスロットとを用いて、ｍ（ｍ：２以上の整数）個のマイクのそれぞれとの通信に用いる搬送波及びスロットを前記１フレーム期間ごとに設定したテーブルを生成する制御部と、
生成された前記テーブルに基づいて、前記ｍ個のうち該当する個々のマイクとの間で、前記時分割多重通信方式を用いた通信を行うｋ（ｋ：２以上の整数）個の無線処理部と、を備え、
前記ｋ個の無線処理部は、それぞれ同一のクロック信号に基づいて同期して動作し、
前記ｍ個のマイクの通信可能なチャネル数Ｃは、Ｃ＞ｋ＊｛（ｎ／２）−１｝である（＊：乗算の演算子）、
通信装置。
【請求項２】
前記ｋ個の無線処理部のうちいずれかは、前記クロック信号を生成して残りの（ｋ−１）個の前記無線処理部に供給する、
請求項１に記載の通信装置。
【請求項３】
前記ｋ個の無線処理部は、前記テーブルに基づいて、前記ｍ個のうち該当するマイクから、搬送波及びスロットの各情報を含む音声接続要求を受信すると、そのマイクとの間で通信を開始する、
請求項１に記載の通信装置。
【請求項４】
前記ｋ個の無線処理部は、通信が行われていた前記ｍ個のうち該当するマイクから、音声切断要求を受信すると、そのマイクとの間で通信を終了する、
請求項３に記載の通信装置。
【請求項５】
ｋは、２以上の偶数であり、
前記ｋ個の無線処理部は、それぞれ１対１のペアを構成する（ｋ／２）個のメイン無線処理部及び（ｋ／２）個のサブ無線処理部を有し、
前記制御部は、それぞれ１対１のペアを構成する前記メイン無線処理部及び前記サブ無線処理部において、そのメイン無線処理部が前記１フレーム期間に通信可能なマイクの数より、そのサブ無線処理部が前記１フレーム期間に通信可能なマイクの数を多くなるように前記テーブルを生成する、
請求項１に記載の通信装置。
【請求項６】
前記ペアを構成するメイン無線処理部は、前記ｍ個のうち該当するマイクからの接続に関する信号の通信を行い、
前記ペアを構成するサブ無線処理部は、自己とペアを構成する前記メイン無線処理部により、前記ｍ個のうち該当するマイクとの前記接続に関する信号の通信が行われた後、そのマイクからの音声信号を受信する、
請求項５に記載の通信装置。
【請求項７】
前記ペアを構成するメイン無線処理部は、前記ｍ個のうち該当するマイクからの切断に関する信号の通信を行い、
前記ペアを構成するサブ無線処理部は、自己とペアを構成する前記メイン無線処理部により、前記ｍ個のうち該当するマイクとの前記切断に関する信号の通信が行われた後、そのマイクとの音声通信を切断する、
請求項５に記載の通信装置。
【請求項８】
前記ｋ個の無線処理部は、１個のメイン無線処理部及び（ｋ−１）個のサブ無線処理部を有し、
前記制御部は、前記１個のメイン無線処理部が前記１フレーム期間に通信可能なマイクの数をゼロと設定し、さらに、前記（ｋ−１）個のサブ無線処理部のそれぞれが前記１フレーム期間に通信可能なマイクの数を（ｎ／２）と設定する、
請求項１に記載の通信装置。
【請求項９】
前記１個のメイン無線処理部は、前記ｍ個のうち該当するマイクからの接続に関する信号の通信を行い、
前記（ｋ−１）個のサブ無線処理部は、前記メイン無線処理部により、前記ｍ個のうち該当するマイクとの前記接続に関する信号の通信が行われた後、そのマイクからの音声信号を受信する、
請求項７に記載の通信装置。
【請求項１０】
前記１個のメイン無線処理部は、前記ｍ個のうち該当するマイクからの切断に関する信号の通信を行い、
前記（ｋ−１）個のサブ無線処理部は、前記メイン無線処理部により、前記ｍ個のうち該当するマイクとの前記切断に関する信号の通信が行われた後、そのマイクとの音声通信を切断する、
請求項７に記載の通信装置。
【請求項１１】
親機とｍ（ｍ：２以上の整数）個のマイクとが通信可能に接続されるワイヤレスマイクシステムであって、
前記親機は、
時分割多重通信方式に基づく既定数の搬送波と、前記時分割多重通信方式の１フレーム期間を構成するｎ（ｎ：既定の正の整数）個のスロットとを用いて、前記ｍ個のマイクのそれぞれとの通信に用いる搬送波及びスロットを前記１フレーム期間ごとに設定したテーブルを生成する制御部と、
生成された前記テーブルに基づいて、前記ｍ個のうち該当する個々のマイクとの間で、前記時分割多重通信方式を用いた通信を行うｋ（ｋ：２以上の整数）個の無線処理部と、を備え、
前記ｋ個の無線処理部は、それぞれ同一のクロック信号に基づいて同期して動作し、
前記ｍ個のマイクの通信可能なチャネル数Ｃは、Ｃ＞ｋ＊｛（ｎ／２）−１｝である（＊：乗算の演算子）、
ワイヤレスマイクシステム。
【請求項１２】
ｍ（ｍ：２以上の整数）個のマイクとの間で通信可能に接続される通信装置を用いた通信方法であって、
時分割多重通信方式に基づく既定数の搬送波と、前記時分割多重通信方式の１フレーム期間を構成するｎ（ｎ：既定の正の整数）個のスロットとを用いて、前記ｍ個のマイクのそれぞれとの通信に用いる搬送波及びスロットを前記１フレーム期間ごとに設定したテーブルを生成するステップと、
前記通信装置が有するｋ（ｋ：２以上の整数）個の無線処理部により、生成された前記テーブルに基づいて、前記ｍ個のうち該当する個々のマイクとの間で、前記時分割多重通信方式を用いた通信を行うステップと、を備え、
前記ｋ個の無線処理部により通信を行うステップは、それぞれ同一のクロック信号に基づいて同期して動作するステップを有し、
さらに、前記ｍ個のマイクの通信可能なチャネル数Ｃは、Ｃ＞ｋ＊｛（ｎ／２）−１｝である（＊：乗算の演算子）、
通信方法。
【発明の詳細な説明】
【技術分野】
【０００１】
本開示は、複数のマイクのそれぞれとの間で時分割多重通信を用いて送信された音声信号を受信する通信装置、ワイヤレスマイクシステム及び通信方法に関する。
【背景技術】
【０００２】
従来、無線通信を用いて、マイクにより収音された音声信号を伝送するワイヤレスマイクシステムが知られている。ワイヤレスマイクシステムは、複数のマイク子機のそれぞれと、それぞれのマイク子機との間で確立された通信チャネルを通じて、マイク子機から送信される音声信号を受信する親機とを備える。親機は、スピーカを有し、各マイク子機で収音された音声信号をスピーカから出力する。このようなワイヤレスマイクシステムは、使用環境に合わせて柔軟に対応できることから、例えば学校の教室や、ホテルの宴会場等の施設等で様々に利用されている。
【０００３】
特許文献１には、１つの親機と複数のマイク子機とを備え、親機は各マイク子機と時分割多重通信方式で無線通信を行う無線通信システムが開示されている。この無線通信システムでは、親機は、他の無線通信システムへの電波干渉を抑制するために、遠方のマイク子機への送信電力を通信維持可能な程度に抑制する。
【先行技術文献】
【特許文献】
【０００４】
【特許文献１】特開２０１５−５０７２７号公報
【発明の概要】
【発明が解決しようとする課題】
【０００５】
しかし、特許文献１の構成では、親機は、時分割多重通信方式で無線通信を行う場合に、それぞれのマイク子機との間で用いる無線通信の通信規格によって定まる既定の多重数以上の通信チャネルを確立できなかった。例えば、無線通信の通信規格がＤＥＣＴ（Digital Enhanced Cordless Telecommunications）方式である場合、１フレーム期間を構成する既定のスロット（タイムスロット）の数以上に通信チャネルを確立できなかった。つまり、それぞれのマイク子機との通信に割り当てるための通信チャネルが１フレーム期間を構成する既定のスロット数以上となることが無く、親機が１フレーム期間において通信可能なマイク子機の数が制限された。このため、マイク子機から親機に送信されてくる音声信号の量が制限され、親機は、高品質な音声信号を出力することが困難であった。
【０００６】
本開示は、上述した従来の事情に鑑みて案出され、通信相手であるマイクとの間で行われる通信に関する通信方式において１フレーム期間を構成する既定のスロット数以上のマイクとの多重を可能とした上でそれぞれのマイクとの間で通信を行い、音質の良好な音声信号を出力する通信装置、ワイヤレスマイクシステム及び通信方法を提供することを目的とする。
【課題を解決するための手段】
【０００７】
本開示は、時分割多重通信方式に基づく既定数個の搬送波と、前記時分割多重通信方式の１フレーム期間を構成するｎ（ｎ：既定の正の整数）個のスロットとを用いて、ｍ（ｍ：２以上の整数）個のマイクのそれぞれとの通信に用いる搬送波及びスロットを前記１フレーム期間ごとに設定したテーブルを生成する制御部と、生成された前記テーブルに基づいて、前記ｍ個のうち該当する個々のマイクとの間で、前記時分割多重通信方式を用いた通信を行うｋ（ｋ：２以上の整数）個の無線処理部と、を備え、前記ｋ個の無線処理部は、それぞれ同一のクロック信号に基づいて同期して動作し、前記ｍ個のマイクの通信可能なチャネル数Ｃは、Ｃ＞ｋ＊｛（ｎ／２）−１｝である、通信装置を提供する。
【０００８】
また、本開示は、親機とｍ（ｍ：２以上の整数）個のマイクとが通信可能に接続されるワイヤレスマイクシステムであって、前記親機は、時分割多重通信方式に基づく既定数個の搬送波と、前記時分割多重通信方式の１フレーム期間を構成するｎ（ｎ：既定の正の整数）個のスロットとを用いて、前記ｍ個のマイクのそれぞれとの通信に用いる搬送波及びスロットを前記１フレーム期間ごとに設定したテーブルを生成する制御部と、生成された前記テーブルに基づいて、前記ｍ個のうち該当する個々のマイクとの間で、前記時分割多重通信方式を用いた通信を行うｋ（ｋ：２以上の整数）個の無線処理部と、を備え、前記ｋ個の無線処理部は、それぞれ同一のクロック信号に基づいて同期して動作し、前記ｍ個のマイクの通信可能なチャネル数Ｃは、Ｃ＞ｋ＊｛（ｎ／２）−１｝である、ワイヤレスマイクシステムを提供する。
【０００９】
また、本開示は、ｍ（ｍ：２以上の整数）個のマイクとの間で通信可能に接続される通信装置を用いた通信方法であって、時分割多重通信方式に基づく既定数個の搬送波と、前記時分割多重通信方式の１フレーム期間を構成するｎ（ｎ：既定の正の整数）個のスロットとを用いて、前記ｍ個のマイクのそれぞれとの通信に用いる搬送波及びスロットを前記１フレーム期間ごとに設定したテーブルを生成するステップと、前記通信装置が有するｋ（ｋ：２以上の整数）個の無線処理部により、生成された前記テーブルに基づいて、前記ｍ個のうち該当する個々のマイクとの間で、前記時分割多重通信方式を用いた通信を行うステップと、を備え、前記ｋ個の無線処理部により通信を行うステップは、それぞれ同一のクロック信号に基づいて同期して動作するステップを有し、さらに、前記ｍ個のマイクの通信可能なチャネル数Ｃは、Ｃ＞ｋ＊｛（ｎ／２）−１｝である、通信方法を提供する。
【発明の効果】
【００１０】
本開示によれば、通信相手であるマイクとの間で行われる通信に関する通信方式において１フレーム期間を構成する既定のスロット数以上のマイクとの多重を可能とした上でそれぞれのマイクとの間で通信を行えるため、音質の良好な音声信号を出力できる。
【図面の簡単な説明】
【００１１】
【図１】実施の形態１におけるワイヤレスマイクシステムのシステム構成例を概略的に示す図
【図２】ＤＥＣＴ通信において使用されるキャリアの周波数帯域を説明する図
【図３】親機とマイク子機との間で無線信号が送受信されるタイムスロットを示す図
【図４】ＤＥＣＴ通信における信号のフレーム構成を示す図
【図５】親機のハードウェア構成例を示すブロック図
【図６】マイク子機のハードウェア構成例を示すブロック図
【図７】キャリア及びスロット毎に設定される通信チャネルを示す通信テーブルの登録内容の一例を示す図
【図８】親機の複数の無線処理部のそれぞれと複数のマイク子機のそれぞれとの間で行われる音声通信の接続手順を示すシーケンス図
【図９】親機における無線処理部の無線制御部の動作手順を示すフローチャート
【図１０】マイク子機におけるマイク制御部の動作手順を示すフローチャート
【図１１】実施の形態２における親機の無線接続に係わる部分の構成を概略的に示す図
【図１２】キャリア及びスロット毎に設定される通信チャネルを示す通信テーブルの登録内容の一例を示す図
【図１３】メイン無線処理部とマイク子機との間、及びサブ無線処理部とマイク子機との間でそれぞれ行われる音声通信の接続手順の一例を示すシーケンス図
【図１４】親機におけるメイン無線処理部の無線制御部の動作手順の一例を示すフローチャート
【図１５】実施の形態３における親機の無線接続に係わる部分の構成を概略的に示す図
【図１６】キャリア及びスロット毎に設定される通信チャネルを示す通信テーブルの登録内容の一例を示す図
【図１７】１つのメイン無線処理部及び複数のサブ無線処理部と複数のマイク子機との間で行われる音声通信の接続手順の一例を示すシーケンス図
【図１８】親機におけるメイン無線処理部の無線制御部の動作手順の一例を示すフローチャート
【発明を実施するための形態】
【００１２】
以下、添付図面を適宜参照しながら、本開示に係る通信装置、ワイヤレスマイクシステム及び通信方法を具体的に開示した各実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１３】
各実施の形態に係るワイヤレスマイクシステムは、複数のマイク子機と、複数のマイク子機のそれぞれにより収音された音声信号を受信する親機と、を含む構成である。また、各実施の形態に係るワイヤレスマイクシステムでは、親機は、複数のマイク子機のそれぞれとの間で、例えば時分割多元接続（ＴＤＭＡ：Time Division Multiple Access）方式を用いて、収音された音声信号を多重化して無線通信を行う。
【００１４】
（実施の形態１）
図１は、実施の形態１におけるワイヤレスマイクシステム５のシステム構成例を概略的に示す図である。ワイヤレスマイクシステム５は、複数（例えば、ｍ個）のマイク子機２と、受信機の一例としての親機３と、ミキサー受信機８と、を含む構成である。ｍは２以上の整数である。以下の説明において、複数のマイク子機２Ｃ１，２Ｃ２，…，２Ｃｍのそれぞれを特に区別しない場合、マイク子機２という。
【００１５】
マイク子機２と親機３との間では、無線信号（例えば、音声信号もしくは制御信号）が、時分割多元接続方式の通信規格（例えば、時分割多重通信方式）に則った無線回線を通じて送受信される。マイク子機２の使用者（ユーザ）はマイク子機２に音声を入力する（例えば声を発する）と、マイク子機２により収音された音声信号は、無線回線を通じて親機３に送信される。各実施の形態において、時分割多重通信方式の通信規格として、例えば２０１１年に策定されたディジタルコードレス電話機の標準規格である周波数帯１．９ＧＨｚのＤＥＣＴ（Digital Enhanced Cordless Telecommunications）方式を用いる。
【００１６】
親機３は、各マイク子機２からの音声信号を受信可能な複数（例えば、ｋ個）の無線処理部ＷＵ１，ＷＵ２，…，ＷＵｋを有する。ｋは２以上の整数である。複数の無線処理部ＷＵ１〜ＷＵｋを特に区別しない場合、無線処理部ＷＵという。無線処理部ＷＵの詳細については後述する。親機３は、無線処理部ＷＵにより受信された音声信号に基づいて、音声をスピーカ２９（図５参照）で出力して再生し、また更に、ミキサー受信機８にも出力する。ミキサー受信機８は、親機３から入力された１つ以上の音声信号を合成し、音声合成後の音声信号を内蔵スピーカ８１から出力する。
【００１７】
図２は、ＤＥＣＴ方式の通信で使用されるキャリアの周波数帯域を説明する図である。ＤＥＣＴ方式の通信は、１．９ＧＨｚ帯（具体的には、１８９５，６１６ＭＨｚ〜１９０２．５２８ＭＨｚ）において５つの周波数帯域が使用される。５つの周波数帯域は、具体的には、ｆ１（１８９５．６１６ＭＨｚ）を中心周波数とするキャリア（つまり、搬送波。以下同様。）と、ｆ２（１８９７．３４４ＭＨｚ）を中心周波数とするキャリアと、ｆ３（１８９９．０７２ＭＨｚ）を中心周波数とするキャリアと、ｆ４（１９００．８００ＭＨｚ）を中心周波数とするキャリアと、ｆ５（１９０２．５２８ＭＨｚ）を中心周波数とするキャリアと、ｆ６（１９０４．２５６ＭＨｚ）を中心周波数とするキャリアである。
【００１８】
これらの周波数帯域は、重ならないので、電波干渉が起こりにくく、通信障害を低減できる。また、１．９ＧＨｚ帯を用いるＤＥＣＴ通信は、例えば無線ＬＡＮ（Local Area Network）や電子レンジ等の機器が発する電波とも干渉しないので、ワイヤレスマイクシステムの音声品質を維持できる。また、親機３は、ＤＥＣＴ通信の１フレーム期間毎に、各周波数帯域のチャネルの使用状況（例えば、キャリアやスロットなどのリソースの空き具合）を常時モニタリングしており、最適な周波数帯域のチャネルを選択することで、１．９ＧＨｚ帯を効率良く利用できる。
【００１９】
図３は、親機３とマイク子機２との間で無線信号が送受信されるタイムスロットを示す図である。以下、タイムスロットを「スロット」と略記する。図４は、ＤＥＣＴ通信における信号のフレーム構成を示す図である。親機３とそれぞれのマイク子機２との間では、１フレーム期間毎に、通信規格に従って定まる既定数（例えば、ｎ個）のスロットを用いて無線信号が送受信される。通信規格がＤＥＣＴ方式である場合、１フレーム期間が１０ｍｓに対応し、例えばｎ＝２４スロット（つまり、ダウンリンク用に１２スロット、アップリンク用に１２スロット）で構成される。
【００２０】
ＤＥＣＴ方式を用いた無線通信（以下、「ＤＥＣＴ通信」という）では、一般的に、ダウンリンク用のスロットＳ０〜スロットＳ１１は、親機３からマイク子機２への通信に使用される。アップリンク用のスロットＳ１２〜スロットＳ２３は、マイク子機２から親機３への通信に使用される。親機３とマイク子機２との間の通信では、スロットＳ０とスロットＳ１２、スロットＳ１とスロットＳ１３などのように、１／２周期に対応する５ｍｓ離れた位置関係にあるスロットを組み合わせて（ペアスロットで）使用される。このペアスロットは、１つのチャネル（例えば、制御情報を送受信するための制御チャネル、音声信号を送受信するための通信チャネル）を構成する。
【００２１】
また、親機３からマイク子機２へ送信が行われる１２スロット中、少なくとも１つのスロット（例えばスロットＳ０）は、親機３からマイク子機２への制御情報が含まれた制御信号を送るための制御スロットとされる。制御信号は、１フレーム期間を構成する既定数のスロットのうち１つのスロットを用いて、親機３からそれぞれのマイク子機２に送信される。なお、親機３からマイク子機２への制御信号の送信中に電波干渉が発生した場合、空きスロット（言い換えると、未使用のスロット）を制御スロットとして使用してもよい。例えば、スロットＳ０で電波干渉等が発生した場合、親機３は、制御スロットをスロットＳ０から他の空いているスロット（例えば、後述する切替用のスロット）に切り替えて使用してもよい。これと連動して、制御スロットに対する応答スロット（つまり、制御スロットに対する応答に用いられ、マイク子機２から親機３への送信に使用されるスロット）は、スロットＳ１２から他の空いているスロット（例えば、同様に後述する切替用のスロット）に変更される。このように、親機３は、ＤＥＣＴ通信の１フレーム期間毎に、制御チャネルや通信チャネルとして使用するスロットを、親機３とマイク子機２のそれぞれとの間の電波状況等に応じて動的に決定する。例えば、コードレスフォン等の機器では、前半のスロットＳ０〜Ｓ１１では親機が送信側で子機が受信側であり、後半のスロットＳ１２〜Ｓ２３では親機が受信側で子機が送信側である。
【００２２】
一方、ワイヤレスマイクシステム５では、親機３は、複数のマイク子機２のそれぞれから送信される音声信号を受信する。また、親機３は、各マイク子機２に対して１フレーム期間中に１回、制御信号を送信すればよい。従って、本実施の形態では、前半のスロットＳ０〜Ｓ１１を、マイク子機２が送信側となるアップリンク用のスロット（通信スロット）として使用できるように、親機３は、スロットＳ０〜Ｓ１１を動的に決める。
【００２３】
例えば、親機３は、１フレーム期間内のスロットＳ０を制御信号を送るための制御チャネルとして決め、この制御チャネルを通じて制御信号をマイク子機２に送信する。制御信号に含まれる制御情報には、例えばシステム情報、スロット情報、キャリア情報である。具体的には、制御情報は、例えば、キャリアかつスロットを用いた通信相手であるマイク子機２の識別情報とそのキャリアやスロットの識別情報、各スロットのビジー状態、使用可能な空きスロットの指定、接続されているマイク子機の数、親機の無線エラー状況、無線干渉によるスロット切り換え等の情報が含まれる。
【００２４】
ＤＥＣＴ通信の１フレームを構成するそれぞれのスロットは、４１６．６７μｓ（＝１０ｍｓ／２４）の時間幅で規定され、具体的には、同期信号フィールドと制御ビットフィールドとＣＲＣ１フィールドとデータビットフィールドとＣＲＣ２フィールドとから構成される。同期信号フィールドは、ビット同期を取るためのデータ列とスロットの同期を取るためのデータ列とから構成される固定データを含む。制御ビットフィールドは、上述した制御信号を含む。制御信号に含まれる制御情報の量が多くなる場合、例えば制御ビットフィールドだけではなく、データビットフィールドの領域の一部を使用してもよい。ＣＲＣ１フィールドは、制御ビットフィールドのデータ列に基づいて算出されたＣＲＣ（Cyclic Redundancy Check：巡回冗長検査）符号を含み、制御ビットフィールドの伝送誤り検出に用いられる。データビットフィールドは音声通信に用いられる。ＣＲＣ２フィールドは、データビットフィールドのデータ列に基づいて算出されたＣＲＣ符号を含み、データビットフィールドの伝送誤り検出に用いられる。
【００２５】
図５は、親機３のハードウェア構成例を示すブロック図である。親機３は、各部を制御する制御部の一例としての親機制御部２０と、複数（例えば、ｋ個）の無線処理部ＷＵと、複数（例えば、ｋ個）の親機アンテナ２２１〜２２ｋと、複数（例えば、ｋ個）のメモリ２７１〜２７ｋとを含む構成を有する。親機アンテナ２２１〜２２ｋを特に区別しない場合、親機アンテナ２２という。同様に、メモリ２７１〜２７ｋを特に区別しない場合、メモリ２７という。これらの各部の機能については後述する。ここで、ｋ個の無線処理部ＷＵの数と、ｍ個のマイク子機２の数と、１フレーム期間におけるｎ個のスロットの数は、数式（１）の関係を有する。数式（１）において、Ｃは、ｍ個のマイクの通信可能なチャネルの数を示す。
【００２６】
【数１】
2019118045.tif 000003
【００２７】
つまり、本実施の形態では、親機３がＤＥＣＴ通信において１フレーム期間に多重可能な（言い換えると、通信可能な）ｍ個のマイク子機２の通信可能なチャネル数（Ｃに相当）は、親機３が有するそれぞれの無線処理部ＷＵの数を示すｋと、１フレーム期間における最大の多重数（ｎ／２）から制御スロットに用いるスロット数である１を減算した｛（ｎ／２）−１｝との積よりも大きいと言える。これにより、親機３は、上述した特許文献１のような従来技術に比べて、１フレーム期間で多重可能だったマイク子機の最大の多重数（ｎ／２）よりも多くのマイク子機との多重が可能となり、良好な音質の音声信号を出力可能となる。
【００２８】
また、親機３は、操作部２３と、表示部２４と、記憶部２５とを含む構成である。操作部２３は、ユーザインタフェースとしての音量ボリュームや電源スイッチを含む。表示部２４は、操作部２３による設定内容等を表示する。記憶部２５は、不揮発性メモリで構成される。
【００２９】
また、親機３は、電源２６と、音声処理部２８と、スピーカ２９と、外部インタフェース部３０とを含む構成である。電源２６は、親機３の各部に電力を供給する。スピーカ２９は、音声信号を出力して再生する。外部インタフェース部３０は、ミキサー受信機８に接続され、親機３で音声処理されたマイク子機２からの音声信号をミキサー受信機８に伝送する。また、外部インタフェース部３０は、電話回線を介して他の機器との間で音声信号を送受信する。外部インタフェース部３０は、無線回線を介して、親機３で音声処理されたマイク子機２からの音声信号を伝送できる。また、外部インタフェース部３０は、インターネット等のネットワークに接続にされてもよく、ネットワークを介して音声信号を配信できる。
【００３０】
親機制御部２０は、記憶部２５とバス等で結合されている。親機制御部２０は、親機３の各部の動作を制御し、操作部２３を介して入力された操作内容を取得する。また、親機制御部２０は、複数の無線処理部ＷＵのそれぞれや音声処理部２８に対し、これらの動作タイミングを設定する。また、親機制御部２０は、後述する通信テーブル１００（図７参照）を生成して記憶部２５に記憶する。親機制御部２０は、記憶部２５に記憶された通信テーブル１００を、各無線処理部ＷＵの無線制御部３１１〜３１ｋに渡す。無線制御部３１１〜３１ｋを特に区別しない場合、無線制御部３１という。通信テーブル１００には、キャリアかつスロット毎に、制御信号をマイク子機２へ報知するための制御用のスロットか、又はマイク子機２との通信に用いるための通信用のスロットかが割り当てて登録される。また、各通信用のスロットには、通信チャネルを確立する無線処理部ＷＵとマイク子機２とが対応付けて登録される。通信テーブル１００の詳細については後述する。
【００３１】
また、親機制御部２０は、マイク子機２から送信された圧縮信号の伝送エラーを検出する。具体的に、親機制御部２０は、無線処理部ＷＵ内の無線部２１がマイク子機２から送信された圧縮信号を受信した際、エラー検出フィールドであるＣＲＣ２フィールド５４を参照することで、伝送エラーの有無を検出する。無線部２１１〜２１ｋを特に区別しない場合、無線部２１という。
【００３２】
複数の無線処理部ＷＵのそれぞれは、無線制御部３１及び無線部２１を有し、６つの異なる中心周波数ｆ１〜ｆ６を有してそれぞれ重ならないキャリアのいずれかを用いて無線通信を行う。無線処理部ＷＵの数は、２以上であれば６つでもよいし、６つより多くても少なくてもよい。各無線制御部３１は、それぞれマイク子機２との無線接続を制御し、親機制御部２０から指定されたキャリア及びスロットを、各無線部２１に指示する。つまり、各無線制御部３１は、親機制御部２０から受け取った通信テーブル１００を基に、指定されたキャリアかつスロットに対応付けられたマイク子機２と通信を行うように、無線部２１を制御する。無線部２１は、無線アンテナ２２を介して、指定されたキャリア及びスロットでマイク子機２との間で通信を行う。また、各無線制御部３１は、それぞれマイク子機２からの音声信号を各メモリ２７に記憶する。メモリ２７は、デュアルポートＲＡＭで構成され、リングバッファとして機能する。
【００３３】
また、複数の無線制御部３１１〜３１ｋのうち、例えば無線制御部３１１は、それぞれの無線処理部ＷＵ１〜ＷＵｋにおけるＤＥＣＴ通信の動作を同期させるためのクロック信号を生成し、他の無線制御部３１２〜３１ｋに同一のクロック信号を供給する。これにより、親機３は、複数のマイク子機２との間でＤＥＣＴ通信を行う際に、通信信号の位相ずれやスロットずれを防止できる。なお、クロック信号の供給元は、無線制御部３１１に限らず、他の無線制御部３１２〜３１ｋのいずれが行ってもよい。また、無線制御部３１１〜３１ｋに限らず、親機制御部２０が全ての無線制御部３１１〜３１ｋに同一のクロック信号を供給してもよく、同様に、通信信号の位相ずれやスロットずれを防止できる。
【００３４】
図６は、マイク子機２のハードウェア構成例を示すブロック図である。マイクの一例としてのマイク子機２は、マイク制御部１０と、マイク無線部１１と、マイク無線部１１に接続されたマイクアンテナ１２とを含む構成である。また、マイク子機２は、ユーザインタフェースとしての音質設定ボタンや電源をＯＮ／ＯＦＦするスイッチを含む操作部１３と、操作部１３による設定内容等を表示する表示部１４と、不揮発性メモリで構成された記憶部１５とを有する。また、マイク子機２は、マイク子機２の各部に電力を供給する電池１６と、デュアルポートＲＡＭ（Random Access Memory）で構成され、リングバッファとして機能するメモリ１７と、マイク音声処理部１８と、音声を入力するマイクロフォン１９とを含む構成を有する。
【００３５】
マイク制御部１０は、記憶部１５とバス等で結合されるＣＰＵ（Central Processing Unit）を備える。マイク制御部１０は、マイク子機２の各部の動作を制御し、例えば音質設定ボタンが押下されたことを検出する。また、マイク制御部１０は、マイク無線部１１や音声処理部１８に対し、これらの動作タイミングを設定する。
【００３６】
図７は、キャリア及びスロット毎に設定される通信チャネルを示す通信テーブル１００の登録内容の一例を示す図である。通信テーブル１００は、例えば記憶部２５に記憶される。通信テーブル１００の各列は、時間軸としてＤＥＣＴ通信における１フレーム周期の前半の１２個のスロットＳ０〜Ｓ１１を示す。また、通信テーブル１００の各行は、周波数軸として、ＤＥＣＴ通信において使用される総数６のキャリアを示す。図７では、キャリアを示すために、それぞれのキャリアの中心周波数ｆ１〜ｆ６（図２参照）が用いられている。
【００３７】
図７に示すように、通信テーブル１００には、スロットかつキャリア単位に割り当てられる、無線処理部ＷＵの制御チャネル（矩形で示す）と、無線処理部ＷＵが多重化する通信相手であるマイク子機２との間の通信チャネル（マイクで示す）と、が登録される。
【００３８】
親機制御部２０は、ＤＥＣＴ通信の１フレーム期間毎に、キャリア毎に各スロットの通信状況を監視し、通信状況に応じて、キャリア毎の各スロットに割り当てられる制御チャネルや通信チャネルを決定し、通信テーブル１００を書き換える。例えば、図７では、親機制御部２０は、中心周波数ｆ１のキャリアのスロットＳ０を、それぞれの無線処理部ＷＵ１〜ＷＵｋが１フレーム期間内においてどのスロットにどのマイク子機と通信するかを定めた制御情報を、親機３に接続されている全てのマイク子機２Ｃ１〜２Ｃｍに対して報知するための無線処理部ＷＵ１の制御チャネルとして決定する。同様に、親機制御部２０は、中心周波数ｆ６のキャリアのスロットＳ１を、上述した制御情報を報知するための無線処理部ＷＵ２の制御チャネルとして決定する。同様に、親機制御部２０は、中心周波数ｆ６のキャリアのスロットＳ５を、上述した制御情報を報知するための無線処理部ＷＵｋの制御チャネルとして決定する。
【００３９】
また、親機制御部２０は、中心周波数ｆ１のキャリアのスロットＳ１，Ｓ２，Ｓ４〜Ｓ７，Ｓ９，Ｓ１０、…、中心周波数ｆ６のキャリアのスロットＳ２〜Ｓ４，Ｓ７〜Ｓ１０を、複数の無線処理部ＷＵ１〜ＷＵｋのいずれかと制御情報により特定されたマイク子機２のいずれかとの間で音声信号を受信するための通信チャネルに決定する。例えば、中心周波数ｆ１のキャリアのスロットＳ２は、無線処理部ＷＵ５とマイク子機２Ｃ１３との間の通信チャネルとして登録される。また、中心周波数ｆ６のキャリアのスロットＳ８は、無線処理部ＷＵ３とマイク子機２Ｃ８との間の通信チャネルとして登録される。
【００４０】
また、親機制御部２０は、中心周波数ｆ１のキャリアのスロットＳ３，Ｓ８，Ｓ１１、中心周波数ｆ６のキャリアのスロットＳ０，Ｓ６，Ｓ１１のそれぞれを、例えば電波干渉が多い通信チャネルの代わりに同スロットを通信チャネルとして切り替えて使用可能とするための空きチャネルとして確保しておくように決定する。例えば、親機制御部２０は、中心周波数ｆ１のキャリアのスロットＳ４の通信チャネルの通信状況が良くないと判断した場合、その通信チャネルを中心周波数ｆ６のキャリアのスロットＳ６に切り替えることを決定する。
【００４１】
このように、親機３は、各スロットにおいて複数のキャリアを使用し、スロット毎に多重化する通信相手として割り当てられた複数のマイク子機２のそれぞれから、通信テーブル１００において指定された複数の通信チャネルを介して音声信号を受信する。なお、通信テーブル１００には、前半のダウンリンク用のスロットであるスロットＳ０〜Ｓ１１の各チャネルが示されたが、後半のアップリンク用のスロットであるスロットＳ１２〜Ｓ２３の各チャネルにおいても同様である。
【００４２】
次に、本実施の形態に係るワイヤレスマイクシステム５の動作について説明する。
【００４３】
図８は、親機３の複数の無線処理部ＷＵ１〜ＷＵｋのそれぞれと複数のマイク子機２Ｃ１〜２Ｃｍのそれぞれとの間で行われる音声通信の接続手順の一例を示すシーケンス図である。図８では、例えば、無線制御部３１１を含む無線処理部ＷＵ１とマイク子機２Ｃ１との間で行われる音声通信の接続手順が示され、同様に、無線制御部３１ｋを含む無線処理部ＷＵｋとマイク子機２Ｃｍとの間で行われる音声通信の接続手順とが示されている。
【００４４】
図８において、音声通信の開始前、親機制御部２０は、音声通信可能な全てのマイク子機２のそれぞれの識別情報を取得して記憶部２５に保持し、通信テーブル１００を生成して記憶部２５に保存する。さらに、親機制御部２０は、通信テーブル１００のデータを各無線処理部ＷＵの無線制御部３１に通知する。
【００４５】
無線処理部ＷＵ１の無線制御部３１１は、親機３に接続されている全てのマイク子機２に対し、中心周波数ｆ１のキャリアかつスロットＳ０を用いて制御情報Ｊ１を報知する（Ｔ１）。制御情報Ｊ１は、送信側の観点では、例えば無線処理部ＷＵ１が１フレーム期間においてどのスロットにどのマイク子機２との間で通信するのか、さらに、どの中心周波数のキャリアを用いるかを定めた情報である。言い換えると、制御情報Ｊ１には、受信側の観点では、マイク子機２が通信チャネルとして使用可能なキャリア及びスロットの番号が含まれる。マイク子機２Ｃ１は、電源オフである場合、無線処理部ＷＵ１からの制御情報Ｊ１を受信できない。無線制御部３１１は、例えば、ＤＥＣＴ通信の次の１フレーム期間において、再び中心周波数ｆ１のキャリアかつスロットＳ０を用いて、同様に制御情報Ｊ１をマイク子機２Ｃ１に報知する（Ｔ２）。
【００４６】
マイク子機２Ｃ１は、例えばユーザ操作による電源オンで起動すると（Ｔ３）、無線制御部３１１からの制御情報Ｊ１を受信する。起動後、マイク子機２Ｃ１は、無線制御部３１１との間で通信を行うための同期を確立する。マイク子機２Ｃ１は、受信された制御情報Ｊ１を基に、使用可能な番号の中心周波数ｆｘのキャリアかつスロットＳｙ（例えば、ＤＥＣＴ通信においては、ｘは１〜６の整数のいずれか、ｙは０〜１１の整数のいずれか）を用いて、無線制御部３１１に対し音声接続を要求する（Ｔ４）。
【００４７】
無線制御部３１１は、マイク子機２Ｃ１からの音声接続要求に応答する（Ｔ５）。これにより、無線処理部ＷＵ１とマイク子機２Ｃ１との間で、中心周波数ｆｘのキャリアかつスロットＳｙを用いて音声通信が開始する（Ｔ６）。音声通信が開始されると、親機３は、無線処理部ＷＵ１で受信した音声信号をスピーカ２９で再生することもできるし、又は、ミキサー受信機８に出力する。ミキサー受信機８は、無線処理部ＷＵ１で受信した音声信号と、他の無線処理部で受信した音声信号とを合成して音声合成された音声信号を出力する。
【００４８】
その後、マイク子機２Ｃ１は、例えばユーザ操作による電源オフになると（Ｔ７）、無線制御部３１１に対して音声切断を要求する（Ｔ８）。無線制御部３１１は、マイク子機２Ｃ１からの音声切断に応答する（Ｔ９）。音声が切断されると、無線制御部３１１は、手順Ｔ１と同様、制御情報の報知を継続する（Ｔ１０）。この制御情報の報知は、親機３によって１フレーム期間毎、又は幾つかのフレーム期間毎に生成される通信テーブル１００を基に、他のマイク子機２に対しても行われる。なお、ここで幾つかのフレーム期間毎に通信テーブル１０が生成されてもよいのは、例えば１フレーム内で親機３内の全ての処理が完了できない可能性を考慮し、その場合には親機３は数フレーム期間を要して通信テーブル１０を更新してもよいためである。以後、同様の動作が行われる。
【００４９】
また、手順Ｔ１〜Ｔ１０と同様の動作は、無線処理部ＷＵ２〜ＷＵｋにおいても行われる。つまり、音声通信の接続が行われる、無線処理部ＷＵ１〜ＷＵｋとマイク子機２Ｃ１〜２Ｃｍの組み合わせは、任意である。例えば、無線処理部ＷＵｋとマイク子機２Ｃｍの組み合わせでは、次のような動作が行われる。
【００５０】
無線処理部ＷＵｋの無線制御部３１ｋは、通信テーブル１００を基に該当するスロットにおける通信相手（多重化先）として特定されたマイク子機２Ｃｍに対し、中心周波数ｆ２のキャリアかつスロットＳ０を用いて制御情報Ｊ２を報知する（Ｔ１１）。制御情報Ｊ２は、送信側の観点では、例えば無線処理部ＷＵ２が１フレーム期間においてどのスロットにどのマイク子機２との間で通信するのか、さらに、どの中心周波数のキャリアを用いるかを定めた情報である。言い換えると、制御情報Ｊ２には、受信側の観点では、例えばマイク子機２Ｃｍが制御チャネルや通信チャネルとして使用可能なキャリア及びスロットの番号が含まれる。マイク子機２Ｃｍは、電源オフである場合、無線処理部ＷＵｋからの制御情報Ｊ２を受信できない。無線制御部３１ｋは、例えば、ＤＥＣＴ通信の次の１フレーム期間において、再び中心周波数ｆ２のキャリアかつスロットＳ０を用いて、同様に制御情報Ｊ２をマイク子機２Ｃｍに報知する（Ｔ１２）。
【００５１】
マイク子機２Ｃｍは、例えばユーザ操作による電源オンで起動すると（Ｔ１３）、無線制御部３１ｋからの制御情報Ｊ２を受信する。起動後、マイク子機２Ｃｍは、無線制御部３１ｋとの間で通信を行うための同期を確立する。マイク子機２Ｃｍは、受信された制御情報Ｊ２を基に、使用可能な番号の中心周波数ｆｚのキャリアかつスロットＳｗ（例えば、ＤＥＣＴ通信においては、ｚは１〜６の整数のいずれか、ｗは０〜１１の整数のいずれか）を用いて、無線制御部３１ｋに対し音声接続を要求する（Ｔ１４）。
【００５２】
無線制御部３１ｋは、マイク子機２Ｃｍからの音声接続要求に応答する（Ｔ１５）。これにより、無線処理部ＷＵｋとマイク子機２Ｃｍとの間で、中心周波数ｆｚのキャリアかつスロットＳｗを用いて音声通信が開始する（Ｔ１６）。音声通信が開始されると、親機３は、無線処理部ＷＵｋで受信した音声信号をスピーカ２９で再生することもできるし、又は、ミキサー受信機８に出力する。ミキサー受信機８は、無線処理部ＷＵｋで受信した音声信号と、他の無線処理部で受信した音声信号とを合成し音声合成された音声信号を出力する。
【００５３】
その後、マイク子機２Ｃｍは、例えばユーザ操作による電源オフになると（Ｔ１７）、無線制御部３１ｋに対して音声切断を要求する（Ｔ１８）。無線制御部３１ｋは、マイク子機２Ｃｍからの音声接続切断に応答する（Ｔ１９）。音声が切断されると、無線制御部３１ｋは、手順Ｔ１１と同様、制御情報の報知を継続する（Ｔ２０）。この制御情報の報知は、親機３によって１フレーム期間毎又は数フレーム期間毎に生成される通信テーブル１００を基に、他のマイク子機２に対しても行われる。以後、同様の動作が行われる。
【００５４】
図９は、親機３における無線処理部ＷＵの無線制御部３１の動作手順を示すフローチャートである。無線制御部３１は、ＤＥＣＴ通信の１フレーム期間毎又は数フレーム期間毎に、上述した制御情報を生成し、その制御情報を、親機３に接続されている全てのマイク子機２に対して報知する（ＳＴ１）。制御情報の報知後、無線制御部３１は、制御情報に含まれる通信テーブル１００で特定されたマイク子機２から音声接続要求があったか否かを判別する（ＳＴ２）。音声接続要求が無い場合（ＳＴ２、ＮＯ）、無線制御部３１の処理はステップＳＴ１に戻り、無線制御部３１は、例えば、ＤＥＣＴ通信の次の１フレーム期間において、制御情報Ｊを再度報知する。
【００５５】
一方、無線制御部３１は、マイク子機２から音声接続要求があった場合（ＳＴ２、ＹＥＳ）、マイク子機２が要求するキャリア及びスロットを用いて音声接続可能であるか否かを、例えば通信テーブル１００に基づいて判別する（ＳＴ３）。音声接続できない場合（ＳＴ３、ＮＯ）、無線制御部３１は、音声接続拒否を応答する（ＳＴ４）。この後、無線処理部ＷＵの処理はステップＳＴ１に戻る。
【００５６】
一方、音声接続可能である場合（ＳＴ３、ＹＥＳ）、無線制御部３１は、要求されたキャリア及びスロットを用いて音声接続を応答する（ＳＴ５）。これにより、無線処理部ＷＵとマイク子機２との間で音声通信が開始する。
【００５７】
その後、無線制御部３１は、音声通信が開始されたマイク子機２から音声切断要求があったか否かを判別する（ＳＴ６）。音声切断要求が無い場合（ＳＴ６、ＮＯ）、無線処理部ＷＵは、ステップＳＴ６の処理を繰り返す。また、マイク子機２から音声切断要求があった場合（ＳＴ６、ＹＥＳ）、無線制御部３１は、音声切断を応答する（ＳＴ１７）。音声切断後、無線制御部３１の処理はステップＳＴ１に戻り、無線制御部３１は、例えば、ＤＥＣＴ通信の次の１フレーム期間において、再び制御情報Ｊをフレーム間隔で報知する。
【００５８】
図１０は、マイク子機２におけるマイク制御部１０の動作手順を示すフローチャートである。図１０に示すマイク子機２の動作は、例えばユーザ操作によってマイク子機２が電源オンになると、開始する。マイク子機２は、電源オン後、親機３の無線処理部ＷＵから送信された制御情報を受信し、無線処理部ＷＵとの間で無線通信を行うための同期を確立したか否かを判別する（ＳＴ１１）。無線処理部ＷＵとの間で無線通信を行うための同期を確立していない場合（ＳＴ１１、ＮＯ）、マイク子機２の処理はステップＳＴ１１に戻る。
【００５９】
一方、マイク制御部１０は、無線処理部ＷＵとの間で無線通信を行うための同期を確立すると（ＳＴ１１、ＹＥＳ）、無線処理部ＷＵに対し、受信された制御情報を基にキャリア及びスロットの番号を決定し、音声接続を要求する（ＳＴ１２）。
【００６０】
マイク制御部１０は、無線処理部ＷＵからこの要求に対する音声接続の応答があったか否かを判別する（ＳＴ１３）。音声接続の応答が無かった場合（ＳＴ１３、ＮＯ）、マイク制御部１０は、無線処理部ＷＵから音声接続拒否の応答があったか否かを判別する（ＳＴ１４）。音声接続拒否の応答が無かった場合（ＳＴ１４、ＮＯ）、マイク制御部１０の処理はステップＳＴ１２に戻り、マイク制御部１０は、再度、受信された制御情報を基に、キャリア及びスロットの番号を決定して音声接続を要求する（ＳＴ１２）。
【００６１】
一方、無線処理部ＷＵから音声接続拒否の応答があった場合（ＳＴ１４、ＹＥＳ）、マイク制御部１０の処理はステップＳＴ１１に戻り、マイク制御部１０は、他の無線処理部ＷＵとの間で無線通信を行うための同期の確立を試み、他の無線処理部ＷＵとの無線同期を確立したか否かを判別する。
【００６２】
一方、無線処理部ＷＵから音声接続の応答があった場合（ＳＴ１３、ＹＥＳ）、マイク制御部１０は、無線処理部ＷＵに対して音声通信を開始する（ＳＴ１５）。音声通信中、マイク制御部１０は、ユーザによって電源オフに操作されるまで待つ（ＳＴ１６）。電源オフに操作されると、マイク制御部１０は、無線処理部ＷＵに対して音声切断を要求する（ＳＴ１７）。マイク制御部１０は、この要求に対して無線処理部ＷＵから音声切断の応答を受信すると、電源オフになる。
【００６３】
以上により、実施の形態１のワイヤレスマイクシステム５では、親機３は、時分割多重通信方式（例えば、ＤＥＣＴ方式）に基づく既定数６のキャリアと、ＤＥＣＴ方式の１フレーム期間を構成するｎ（ｎ：既定の正の整数）個のスロットとを用いて、ｍ（ｍ：２以上の整数）個のマイク子機２との通信に用いるキャリア及びスロットを１フレーム期間ごとに設定した通信テーブル１００を親機制御部２０において生成する。親機３は、生成された通信テーブル１００に基づいて、ｍ個のうち該当する個々のマイク子機２との間で、ＤＥＣＴ方式を用いた通信をｋ（ｋ：２以上の整数）個の無線処理部ＷＵにおいて行う。ｋ個の無線処理部ＷＵは、それぞれ同一のクロック信号に基づいて同期して動作する。また、ｍ個のマイク子機２が通信可能なチャネル数を示すＣは、Ｃ＞ｋ＊｛（ｎ／２）−１｝の関係がある。
【００６４】
これにより、親機３は、時分割多重通信方式の１フレーム期間を構成する既定数のスロットを用いた多重数以上のマイク子機２との間で通信チャネルを確立でき、キャリア及びスロット毎に通信チャネルを各マイク子機２に割り当てることができる。例えば、多重数が１２通信チャネルである場合、キャリア毎に、制御チャネルを１チャネルに、また、通信チャネルを最大１１チャネルに割り当てることができる。従って、キャリアが６つである場合、通信チャネルを６＊１１チャネル以上に確立できる。＊（アスタリスク）は乗算の演算子である。従って、親機３に接続可能なマイク子機２の数を増やすことができ、また、音声データの量が増加し、音質を向上させることができる。また、複数の無線処理部ＷＵの動作を同一のクロック信号で同期させるので、無線処理部ＷＵ間で位相ずれ及びスロットずれが起こることを防止できる。このように、親機３は、通信相手であるマイク子機２との間で行われる通信に関する通信方式において１フレーム期間内に通信可能な多重数以上の子機との間で通信を行い、音質の良好な音声信号を高精度に出力することができる。
【００６５】
また、ｋ個の無線処理部ＷＵのうちいずれかは、クロック信号を生成して残りの（ｋ−１）個の無線処理部に供給する。これにより、ｋ個の無線処理部ＷＵに供給されるクロック信号を共用することができる。また、クロック信号を個々の無線処理部ＷＵが生成する場合と比べ、部品点数を削減できる。
【００６６】
また、ｋ個の無線処理部ＷＵは、通信テーブル１００に基づいて、ｍ個のうち該当するマイク子機２から、キャリア及びスロットの各情報を含む音声接続要求を受信すると、そのマイクとの間で通信を開始する。これにより、各無線処理部ＷＵは、該当するマイク子機２との通信を確実に開始することができ、混信を回避できる。
【００６７】
また、ｋ個の無線処理部ＷＵは、通信が行われていたｍ個のうち該当するマイク子機２から、音声切断要求を受信すると、そのマイク子機２との間で通信を切断（終了）する。これにより、各無線処理部ＷＵは、該当するマイク子機２との通信を確実に切断できる。
【００６８】
（実施の形態２）
実施の形態１では、親機３における複数の無線処理部ＷＵのそれぞれが複数のマイク子機２に対して制御情報を報知し、いずれかのマイク子機との間で無線接続を行っていた。実施の形態２では、親機３における複数の無線処理部を、それぞれ１対１のペアを構成する２つの無線処理部の組に分け、ペアのうち一方をメイン無線処理部とし、もう一方をサブ無線処理部とし、それぞれの組においてメイン無線処理部がサブ無線処理部の無線制御を兼ねる例を説明する。従って、本実施の形態では、ペアは（ｋ／２）個形成される。ｋは、本実施の形態では、２の倍数の自然数である。
【００６９】
実施の形態２のワイヤレスマイクシステムのハードウェア構成は、実施の形態１のワイヤレスマイクシステムのハードウェア構成と同一である。実施の形態１と同一の構成要素については同一の符号を用いることで、その説明を省略する。
【００７０】
図１１は、実施の形態２における親機３の無線接続に係わる部分の構成を概略的に示す図である。複数の無線処理部ＷＵを、１つのメイン無線処理部と１つのサブ無線処理部とからなる２つの無線処理部のペア（組）に分ける。例えば、無線処理部ＷＵ１をメイン無線処理部とし、無線処理部ＷＵ２をサブ無線処理部とするペアを形成する。また、無線処理部ＷＵ３をメイン無線処理部とし、無線処理部ＷＵ４をサブ無線処理部とするペアを形成する。同様に、無線処理部ＷＵ５をメイン無線処理部とし、無線処理部ＷＵ６をサブ無線処理部とするペアを形成する。
【００７１】
無線処理部ＷＵ１は、無線処理部ＷＵ２の無線制御を代行する。この代行時、無線処理部ＷＵ１は、マイク子機２から要求されたキャリア及びスロットを用いた音声接続を親機制御部２０に伝送する。親機制御部２０は、無線処理部ＷＵ１から伝送されたキャリア及びスロットを用いた音声接続を無線処理部ＷＵ２に通知する。また、無線処理部ＷＵ１は、マイク子機２から要求されたキャリア及びスロットを用いた音声切断を親機制御部２０に伝送する。親機制御部２０は、無線処理部ＷＵ１から伝送されたキャリア及びスロットを用いた音声切断を無線処理部ＷＵ２に通知する。これらの代行動作は、他のメイン無線処理部（例えば、無線処理部ＷＵ３，ＷＵ５）と他のサブ無線処理部（例えば無線処理部ＷＵ４，ＷＵ６）の間でも同様に行われる。
【００７２】
図１２は、キャリア及びスロット毎に設定される通信チャネルを示す通信テーブル１００の登録内容の一例を示す図である。図７と同様、通信テーブル１００は、例えば記憶部２５に記憶される。通信テーブル１００の各列は、時間軸としてＤＥＣＴ通信における１フレーム周期の前半の１２個のスロットＳ０〜Ｓ１１を示す。また、通信テーブル１００の各行は、周波数軸として、ＤＥＣＴ通信において使用される総数６のキャリアを示す。図１２では、キャリアを示すために、それぞれのキャリアの中心周波数ｆ１〜ｆ６（図２参照）が用いられている。
【００７３】
図１２に示すように、通信テーブル１００には、キャリア及びスロット毎に割り当てられる、無線処理部ＷＵの制御チャネル（矩形で示す）と、無線処理部ＷＵが多重化する通信相手であるマイク子機２との間の通信チャネル（マイクで示す）と、が登録される。
【００７４】
親機制御部２０は、ＤＥＣＴ通信の１フレーム期間毎に、キャリア毎に各スロットの通信状況を監視し、通信状況に応じて、キャリア毎の各スロットに割り当てられる制御チャネルや通信チャネルを決定し、通信テーブル１００を書き換える。例えば、図１２では、親機制御部２０は、中心周波数ｆ１のキャリアのスロットＳ０を、それぞれのペアのメイン無線処理部が自己や同ペアのサブ無線処理部が１フレーム期間内においてどのスロットにどのマイク子機２と通信するかを定めた制御情報を、親機３に接続されている全てのマイク子機２Ｃ１〜２Ｃｍに対して報知するための制御チャネルとして決定する。これにより、親機３は、実施の形態１と比べて、それぞれのペアにおけるサブ無線処理部に、制御情報をそれぞれのマイク子機に報知するための制御チャネルを割り当てる必要がなくなる。従って、親機３は、実施の形態１と比べて、サブ無線処理部に制御チャネルを割り当てるためのキャリア及びスロットを、マイク子機２との間の通信チャネルに割り当てることが可能となる（図７の中心周波数ｆ６のキャリアかつスロットＳ０参照）。
【００７５】
同様に、親機制御部２０は、中心周波数ｆ６のキャリア及びスロットＳ８を、同様な制御情報を報知するための制御チャネルとして決定する。従って、同様に、親機３は、実施の形態１と比べて、サブ無線処理部に制御チャネルを割り当てるためのキャリア及びスロットを、マイク子機２との間の通信チャネルに割り当てることが可能となる（図７の中心周波数ｆ１のキャリアかつスロットＳ８参照）。
【００７６】
また、親機制御部２０は、実施の形態１と同様、中心周波数ｆ１のキャリアのスロットＳ１，Ｓ２，Ｓ５，Ｓ６，Ｓ８〜Ｓ１０、…、中心周波数ｆ６のキャリアのスロットＳ０〜Ｓ２，Ｓ４〜Ｓ６，Ｓ９，Ｓ１０を、複数の無線処理部ＷＵ１〜ＷＵｋのいずれかと制御情報により特定されたマイク子機２のいずれかとの間で音声信号を受信するための通信チャネルに決定する。
【００７７】
また、親機制御部２０は、実施の形態１と同様、中心周波数ｆ１のキャリアのスロットＳ３，Ｓ７，Ｓ１１、…、中心周波数ｆ６のキャリアのスロットＳ３，Ｓ７，Ｓ１１を、それぞれ例えば電波干渉が多い通信チャネルの代わりに同スロットを通信チャネルとして切り替えて使用可能とするための空きチャネルとして確保しておくように決定する。
【００７８】
次に、本実施の形態に係るワイヤレスマイクシステム５の動作について説明する。
【００７９】
図１３は、メイン無線処理部とマイク子機との間、及びサブ無線処理部とマイク子機２Ｃ５との間でそれぞれ行われる音声通信の接続手順の一例を示すシーケンス図である。図１３では、メイン無線処理部及びサブ無線処理部のペアとして、それぞれ無線処理部ＷＵ１及び無線処理部ＷＵ２を例示するが、他のペアにおいても同様である。
【００８０】
図１３において、音声通信の開始前、親機制御部２０は、音声通信可能な全てのマイク子機２のそれぞれの識別情報を取得して記憶部２５に保持し、通信テーブル１００を生成して記憶部２５に保存する。さらに、親機制御部２０は、通信テーブル１００のデータを各無線処理部ＷＵの無線制御部３１に通知する。
【００８１】
無線処理部ＷＵ１の無線制御部３１１は、親機３に接続されている全てのマイク子機２に対し、中心周波数ｆ１のキャリアかつスロットＳ０を用いて制御情報Ｊ３を報知する（Ｔ３１）。制御情報Ｊ３は、送信側の観点では、メイン無線処理部（例えば無線処理部ＷＵ１）が自己や同ペアのサブ無線処理部（例えば無線処理部ＷＵ２）が１フレーム期間においてどのスロットにどのマイク子機２との間で通信するのか、さらに、どの中心周波数のキャリアを用いるかを定めた情報である。言い換えると、制御情報Ｊ３には、受信側の観点では、マイク子機２が制御チャネルや通信チャネルとして使用可能なキャリア及びスロットの番号が含まれる。２つのマイク子機２Ｃ３，２Ｃ５のいずれも、電源オフであるので、無線処理部ＷＵ１からの制御情報Ｊ３を受信できない。無線制御部３１１は、例えば、ＤＥＣＴ通信の次の１フレーム期間において、再び中心周波数ｆ１のキャリアかつスロットＳ０を用いて、同様に制御情報Ｊ３を通信先となるマイク子機（例えば、マイク子機２Ｃ３，２Ｃ５）に報知する（Ｔ３２）。
【００８２】
マイク子機２Ｃ３は、例えばユーザ操作による電源オンで起動すると（Ｔ３３）、無線処理部ＷＵ１からの制御情報Ｊ３を受信する。起動後、マイク子機２Ｃ３は、無線処理部ＷＵ１との間で通信を行うための同期を確立する。マイク子機２Ｃ３は、受信された制御情報Ｊ３を基に、使用可能な番号の中心周波数ｆｘ１のキャリアかつスロットＳｙ１（例えば、ＤＥＣＴ通信においては、ｘ１は１〜６の整数のいずれか、ｙ１は０〜１１の整数のいずれか）を用いて、例えばｆｘ１（ｘ１＝１）かつスロットＳ２（ｙ１＝２）を用いて無線制御部３１１に対し音声接続を要求する（Ｔ３４）。
【００８３】
無線制御部３１１は、マイク子機２Ｃ３からの音声接続要求に応答する（Ｔ３５）。無線制御部３１１とマイク子機２Ｃ３との間で、中心周波数ｆ１のキャリアかつスロットＳ２を用いて音声通信が開始する（Ｔ３６）。音声通信が開始されると、親機３は、無線処理部ＷＵ１で受信した音声信号をスピーカ２９で再生することもできるし、又は、ミキサー受信機８に出力する。ミキサー受信機８は、無線処理部ＷＵ１で受信した音声信号と、他の無線処理部で受信した音声信号とを合成して音声合成された音声信号を出力する。
【００８４】
一方、マイク子機２Ｃ５は、例えばユーザ操作による電源オンで起動すると（Ｔ３７）、無線処理部ＷＵ１からの制御情報Ｊ３を受信する。起動後、マイク子機２Ｃ５は、無線処理部ＷＵ１との間で通信を行うための同期を確立する。マイク子機２Ｃ５は、受信された制御情報Ｊ３を基に、使用可能な番号の中心周波数ｆｘ２のキャリアかつスロットＳｙ２（例えば、ＤＥＣＴ通信においては、ｘ２は１〜６の整数のいずれか、ｙ２は０〜１１の整数のいずれか）を用いて、例えば中心周波数ｆ６（ｘ２＝６）のキャリアかつスロットＳ６（ｙ２＝６）を用いて無線制御部３１１に対し音声接続を要求する（Ｔ３８）。
【００８５】
無線制御部３１１は、マイク子機２Ｃ５からの音声接続要求に応答する（Ｔ３９）。さらに、無線制御部３１１は、親機制御部２０を介して、無線処理部ＷＵ２に対しマイク子機２Ｃ５から要求された中心周波数ｆ５のキャリア及びスロットＳ６を用いた音声接続を通知する（Ｔ４０）。
【００８６】
無線処理部ＷＵ２に中心周波数ｆ６のキャリア及びスロットＳ６を用いた音声接続が通知されると、無線処理部ＷＵ２の無線制御部３１２とマイク子機２Ｃ５との間で、中心周波数ｆ６のキャリアかつスロットＳ６を用いた音声通信が開始される（Ｔ４１）。音声通信が開始されると、親機３は、無線処理部ＷＵ２で受信した音声信号をスピーカ２９で再生することもできるし、又は、ミキサー受信機８に出力する。ミキサー受信機８は、無線処理部ＷＵ２で受信した音声信号と、他の無線処理部（例えば、無線処理部ＷＵ１）で受信した音声信号とを合成して音声合成された音声を出力する。
【００８７】
その後、マイク子機２Ｃ３は、例えばユーザ操作により電源オフになると（Ｔ４２）、無線処理部ＷＵ１に対し音声切断を要求する（Ｔ４３）。無線処理部ＷＵ１は、マイク子機２Ｃ３からの音声切断に応答する（Ｔ４４）。無線処理部ＷＵ１は、マイク子機２Ｃ３との音声通信を切断する（Ｔ４５）。
【００８８】
また、マイク子機２Ｃ５は、例えばユーザ操作により電源オフになると（Ｔ４６）、無線処理部ＷＵ１に対し音声切断を要求する（Ｔ４７）。無線処理部ＷＵ１は、マイク子機２Ｃ５からの音声切断に応答する（Ｔ４８）。さらに、無線処理部ＷＵ１は、親機制御部２０を介して、無線処理部ＷＵ２の無線制御部３１２に対し中心周波数ｆ２のキャリア及びスロットＳ６を用いた音声切断を通知する（Ｔ４９）。無線制御部３１２は、無線処理部ＷＵ１から音声切断の通知を受けると、マイク子機２Ｃ５との音声通信を切断する（Ｔ５０）。
【００８９】
マイク子機２Ｃ３，２Ｃ５との間で音声が切断されると、無線処理部ＷＵ１は、手順Ｔ３１と同様、制御情報の報知を継続する（Ｔ５１）。この制御情報の報知は、親機３によって１フレーム期間毎に生成される通信テーブル１００を基に、他のマイク子機２に対しても行われる。以後、同様の動作が行われる。
【００９０】
図１４は、親機３におけるメイン無線処理部の無線制御部の動作手順の一例を示すフローチャートである。図１３と同様に、メイン無線処理部を無線処理部ＷＵ１とし、サブ無線処理部を無線処理部ＷＵ２として説明するが、他のペアのメイン無線処理部及びサブ無線処理部においても同様である。メイン無線処理部に対応する無線制御部３１１は、ＤＥＣＴ通信の１フレーム期間毎又は数フレーム期間毎に、上述した制御情報Ｊ３を生成し、その制御情報Ｊ３を、親機３に接続されている全てのマイク子機２に対して報知する（ＳＴ２１）。制御情報Ｊ３の報知後、無線制御部３１１は、複数のマイク子機２のいずれかから音声接続要求があったか否かを判別する（ＳＴ２２）。接続要求が無い場合（ＳＴ２２、ＮＯ）、無線制御部３１１の処理はステップＳＴ２１に戻り、無線制御部３１１は、例えば、ＤＥＣＴ通信の次の１フレーム期間において、制御情報Ｊ３を再度報知する。
【００９１】
一方、無線制御部３１１は、マイク子機２（例えばマイク子機２Ｃ３もしくはマイク子機２Ｃ５）から音声接続要求があった場合（ＳＴ２２、ＹＥＳ）、マイク子機２Ｃ３もしくはマイク子機２Ｃ５が要求するキャリア及びスロットを用いて音声接続可能であるか否かを、例えば通信テーブル１００に基づいて判別する（ＳＴ２３）。音声接続できない場合（ＳＴ２３、ＮＯ）、無線制御部３１１は、サブ無線処理部に対応する無線処理部ＷＵ２で音声接続可能であるか否かを判別する（ＳＴ２４）。無線処理部ＷＵ２で音声接続できない場合（ＳＴ２４、ＮＯ）、無線制御部３１１は、そのマイク子機２に対し音声接続拒否を応答する（ＳＴ２５）。この後、無線制御部３１１の処理はステップＳＴ２２に戻る。
【００９２】
一方、無線制御部３１１が音声接続可能である場合（ＳＴ２３、ＹＥＳ）、無線制御部３１１は、要求されたキャリア及びスロットを用いてマイク子機２Ｃ３もしくはマイク子機２Ｃ５に対し音声接続を応答する（ＳＴ２７）。これにより、無線処理部ＷＵ１とマイク子機２の間で音声通信が開始される。
【００９３】
また、無線処理部ＷＵ２が音声接続可能である場合（ＳＴ２４、ＹＥＳ）、無線制御部３１１は、通信テーブル１００に基づいて、無線処理部ＷＵ２に対して該当するキャリア及びスロットを通知する（ＳＴ２６）。無線処理部ＷＵ２が音声接続可能である場合、無線制御部３１１は、マイク子機２（例えばマイク子機２Ｃ５）に対し音声接続を応答する。これにより、無線処理部ＷＵ２とマイク子機２Ｃ５の間で音声通信が開始される。
【００９４】
その後、無線制御部３１１は、音声通信が開始されたマイク子機２Ｃ３もしくはマイク子機２Ｃ５からキャリア及びスロットの音声切断要求があったか否かを判別する（ＳＴ２８）。音声切断要求が無い場合（ＳＴ２８、ＮＯ）、無線制御部３１１は、ステップＳＴ２８の処理を繰り返す。また、マイク子機２Ｃ３もしくはマイク子機２Ｃ５から音声切断要求があった場合（ＳＴ２８、ＹＥＳ）、無線制御部３１１は、無線処理部ＷＵ１による音声通信が行われていたか否かを判別する（ＳＴ２９）。無線処理部ＷＵ１による音声通信が行われていた場合（ＳＴ２９、ＹＥＳ）、無線制御部３１１は、マイク子機２Ｃ３もしくはマイク子機２Ｃ５に対し音声切断を応答する（ＳＴ３１）。これにより、メイン無線処理部ＷＵ１とマイク子機２との間で音声通信が切断される。
【００９５】
一方、無線処理部ＷＵ２による音声通信が行われていた場合（ＳＴ２９、ＮＯ）、無線制御部３１１は、親機制御部２０を介して、無線処理部ＷＵ２の無線制御部３１２に音声切断を通知する（ＳＴ３０）。そして、無線制御部３１１は、ステップＳＴ３１において、マイク子機２Ｃ５に対し音声切断を応答する。これにより、サブ無線処理部ＷＵ２とマイク子機２Ｃ５との間で音声通信が切断される。
【００９６】
音声切断後、無線制御部３１１の処理はステップＳＴ２１に戻り、無線制御部３１は、例えば、ＤＥＣＴ通信の次の１フレーム期間において、再び制御情報をフレーム間隔で報知する。
【００９７】
以上により、実施の形態２のワイヤレスマイクシステム５では、ｋ個（ｋは２以上の偶数）の無線処理部ＷＵは、それぞれ１対１のペアを構成する（ｋ／２）個ずつのメイン無線処理部及びサブ無線処理部を有する。親機制御部２０は、それぞれ１対１のペアを構成するメイン無線処理部及びサブ無線処理部において、そのメイン無線処理部が１フレーム期間に通信可能なマイクの数より、そのサブ無線処理部が１フレーム期間に通信可能なマイクの数を多くなるように通信テーブル１００を生成する。
【００９８】
これにより、メイン無線処理部は、サブ無線処理部の無線制御を兼ねることができる。つまり、実施の形態１と比べて、親機３の（ｋ／２）個のメイン無線処理部は、自己と同じペアを構成するサブ無線処理部が１フレーム期間において使用する予定であった少なくとも１つの制御チャネルを通信チャネルとして利用できる。従って、親機３は、サブ無線処理部が無線制御を行う際に必要とする制御チャネル数を減らすことができ、その分、通信チャネルの数を増加できる。このように、無線処理部の数が増えても、制御チャネル数の増加が抑えられるので、通信チャネル数の減少を抑制できる。これにより、同時に通信可能なマイク子機の数を増やすことができる。
【００９９】
また、ペアを構成するメイン無線処理部は、ｍ個のうち該当するマイク子機２との間で音声通信の接続制御（言い換えると、マイク子機２からの接続に関する信号の通信）を行う。ペアを構成するサブ無線処理部は、自己とペアを構成するメイン無線処理部により、ｍ個のうち該当するマイク子機２と音声通信の接続制御が行われた後、そのマイク子機２からの音声信号を受信する。これにより、サブ無線処理部は、音声通信の接続制御を行わない分、通信チャネルに割り当てられるスロットを増やすことができる。これにより、同時に通信可能なマイク子機の数を増やすことができる。
【０１００】
また、ペアを構成するメイン無線処理部は、ｍ個のうち該当するマイク子機２との間で音声通信の切断制御（言い換えると、マイク子機２からの切断に関する信号の通信）を行う。ペアを構成するサブ無線処理部は、自己とペアを構成するメイン無線処理部により、ｍ個のうち該当するマイク子機２と音声通信の切断制御が行われた後、そのマイク子機２との音声通信を切断する。これにより、サブ無線処理部は、音声通信の切断制御を行わない分、通信チャネルに割り当てられるスロットを増やすことができる。これにより、同時に通信可能なマイク子機の数を増やすことができる。
【０１０１】
（実施の形態３）
実施の形態２では、親機３は、それぞれ同数（具体的には、（ｋ／２）個ずつ）のメイン無線処理部とサブ無線処理部とのペアを複数有し、各メイン無線処理部がそれぞれペアとなっているサブ無線処理部の無線制御を兼ねた。実施の形態３では、親機３は、ｋ個の無線処理部ＷＵ１〜ＷＵｋのうち、メイン無線処理部を１つ有し、サブ無線処理部を（ｋ−１）個有し、メイン無線処理部が全てのサブ無線処理部の無線制御を行う例を説明する。
【０１０２】
実施の形態３のワイヤレスマイクシステムのハードウェア構成は、実施の形態１のワイヤレスマイクシステムのハードウェア構成と同一である。実施の形態１と同一の構成要素については同一の符号を用いることで、その説明を省略する。
【０１０３】
図１５は、実施の形態３における親機３の無線接続に係わる部分の構成を概略的に示す図である。複数の無線処理部ＷＵを、１つのメイン無線処理部（例えば、無線処理部ＷＵ１）と（ｋ−１）個のサブ無線処理部（例えば、無線処理部ＷＵ２〜ＷＵｋ）とに分ける。
【０１０４】
図１６において、無線処理部ＷＵ１は、複数のマイク子機２のそれぞれとの間で音声通信を行う全ての無線処理部ＷＵ２〜ＷＵｋの無線制御を代行し、自己は複数のマイク子機２のそれぞれとの間では音声通信を行わない。無線処理部ＷＵ２〜ＷＵｋは、それぞれ無線処理部ＷＵ１からの通知に従い、通信テーブル１００に基づいて特定された複数のマイク子機２のそれぞれとの間で音声接続を開始し、また音声接続を切断する。
【０１０５】
図１６は、キャリア及びスロット毎に設定される通信チャネルを示す通信テーブル１００の登録内容の一例を示す図である。図７や図１２と同様、通信テーブル１００は、例えば記憶部２５に記憶される。通信テーブル１００の各列は、時間軸としてＤＥＣＴ通信における１フレーム周期の前半の１２個のスロットＳ０〜Ｓ１１を示す。また、通信テーブル１００の各行は、周波数軸として、ＤＥＣＴ通信において使用される総数６のキャリア（搬送波）を示す。図１６では、キャリアを示すために、それぞれのキャリア（搬送波）の中心周波数ｆ１〜ｆ６（図２参照）が用いられている。
【０１０６】
図１６に示すように、通信テーブル１００には、スロットかつキャリア毎に割り当てられる、メイン無線処理部（例えば無線処理部ＷＵ１）の制御チャネル（矩形で示す）と、サブ無線処理部（例えば無線処理部ＷＵ２〜ＷＵｋ）が多重化する通信相手であるマイク子機２との間の通信チャネル（マイクで示す）と、が登録される。
【０１０７】
親機制御部２０は、ＤＥＣＴ通信の１フレーム期間毎に、キャリア毎に各スロットの通信状況を監視し、通信状況に応じて、キャリア毎の各スロットに割り当てられる制御チャネルや通信チャネルを決定し、通信テーブル１００をフレーム毎に書き換える。例えば、図１６では、親機制御部２０は、中心周波数ｆ１のキャリアのスロットＳ０を、メイン無線処理部が（ｋ−１）個のサブ無線処理部が１フレーム期間内においてどのスロットにどのマイク子機２と通信するかを定めた制御情報を、全てのマイク子機２に報知するための制御チャネルとして決定する。これにより、親機３は、実施の形態１，２と比べて、全てのサブ無線処理部のそれぞれに対して少なくとも１つの制御チャネルを割り当てる必要がなくなるので、全てのサブ無線処理部に対してＤＥＣＴ通信における通信チャネルを効率的に割り当てることができる。
【０１０８】
例えば、親機制御部２０は、中心周波数ｆ６のキャリアのスロットＳ０を、制御情報を報知するための制御チャネルではなく、いずれかのサブ無線処理部といずれかのマイク子機２との間の通信チャネルに利用できる。
【０１０９】
同様に、親機制御部２０は、中心周波数ｆ６のキャリアのスロットＳ８を、制御情報を報知するための制御チャネルではなく、いずれかのサブ無線処理部といずれかのマイク子機２との間の通信チャネルに利用できる。
【０１１０】
また、親機制御部２０は、中心周波数ｆ１のスロットＳ４や、中心周波数ｆ６のキャリアのスロットＳ４も、上記と同様に通信チャネルとして決定する。
【０１１１】
また、親機制御部２０は、実施の形態１，２と同様、中心周波数ｆ１のキャリアのスロットＳ１，Ｓ２，Ｓ４〜Ｓ６，Ｓ８〜Ｓ１０、…、中心周波数ｆ６のスロットＳ０〜Ｓ２，Ｓ４〜Ｓ６，Ｓ８〜Ｓ１０を、それぞれ複数のサブ無線処理部（例えば、無線処理部ＷＵ２〜ＷＵｋ）のいずれかと制御情報により特定されたマイク子機２のいずれかとの間で音声信号を受信するための通信チャネルに決定する。
【０１１２】
また、親機制御部２０は、実施の形態１，２と同様、中心周波数ｆ１のキャリアのスロットＳ３，Ｓ７，Ｓ１１、…、中心周波数ｆ５のキャリアのスロットＳ３，Ｓ７，Ｓ１１を、それぞれ例えば電波干渉が多い通信チャネルの代わりに同スロットを通信チャネルとして切り替えて使用可能とするための空きチャネルとして確保しておくように決定する。
【０１１３】
次に、本実施の形態に係るワイヤレスマイクシステム５の動作について説明する。
【０１１４】
図１７は、１つのメイン無線処理部及び複数のサブ無線処理部と複数のマイク子機２Ｃ１〜２Ｃｍとの間で行われる音声通信の接続手順の一例を示すシーケンス図である。図１７では、メイン無線処理部を無線処理部ＷＵ１、サブ無線処理部を無線処理部ＷＵ２〜ＷＵｋを例示して説明する。
【０１１５】
図１７において、音声通信の開始前、親機制御部２０は、音声通信可能な全てのマイク子機２のそれぞれの識別情報を取得して記憶部２５に保持し、通信テーブル１００を生成して記憶部２５に保存する。さらに、親機制御部２０は、通信テーブル１００のデータを各無線処理部ＷＵの無線制御部３１に通知する。
【０１１６】
メイン無線処理部の無線制御部３１１は、親機３に接続されている全てのマイク子機２に対し、中心周波数ｆ１のキャリアかつスロットＳ０を用いて制御情報Ｊ４に報知する（Ｔ６１）。制御情報Ｊ４は、送信側の観点では、メイン無線処理部（例えば無線処理部ＷＵ１）が（ｋ−１）個のサブ無線処理部（例えば無線処理部ＷＵ２〜ＷＵｋ）が１フレーム期間においてどのスロットにどのマイク子機２との間で通信するのか、さらに、どの中心周波数のキャリアを用いるかを定めた情報である。言い換えると、制御情報Ｊ４には、受信側の観点では、マイク子機２が制御チャネルや通信チャネルとして使用可能なキャリア及びスロットの番号が含まれる。マイク子機２Ｃ１〜２Ｃｍのいずれも、電源オフであるので、無線処理部ＷＵ１からの制御情報Ｊ４を受信できない。無線処理部ＷＵ１は、例えば、ＤＥＣＴ通信の次の１フレーム期間において、再び中心周波数ｆ１のキャリアかつスロットＳ０を用いて、同様に制御情報Ｊ４を通信先となるマイク子機２Ｃ１〜２Ｃｍに報知する（Ｔ６２）。
【０１１７】
マイク子機２Ｃ１は、例えばユーザ操作による電源オンで起動すると（Ｔ６３）、無線処理部ＷＵ１からの制御情報Ｊ４を受信する。起動後、マイク子機２Ｃ１は、無線処理部ＷＵ１との間で通信を行うための同期を確立する。マイク子機２Ｃ１は、受信された制御情報Ｊ４を基に、使用可能な中心周波数ｆｘ１のキャリアかつスロットＳｙ１（例えば、ＤＥＣＴ通信においては、ｘ１は１〜６の整数のいずれか、ｙ１は０〜１１の整数のいずれか）を用いて、例えばｆｘ１（ｘ１＝１）かつスロットＳｙ１（ｙ１＝２）を用いて無線処理部ＷＵ１に対し音声接続を要求する（Ｔ６４）。
【０１１８】
無線処理部ＷＵ１は、マイク子機２Ｃ１からの音声接続要求に応答する（Ｔ６５）。無線処理部ＷＵ１は、親機制御部２０を介して、サブ無線処理部（例えば無線処理部ＷＵ５）に対しマイク子機２Ｃ１から要求された中心周波数ｆ１のキャリアかつスロットＳ２を用いた音声接続を通知する（Ｔ６６）。
【０１１９】
無線処理部ＷＵ５に中心周波数ｆ１のキャリア及びスロットＳ２を用いた音声接続が通知されると、無線処理部ＷＵ５とマイク子機２Ｃ１との間で、中心周波数ｆ１のキャリアかつスロットＳ２を用いた音声通信が開始される（Ｔ６７）。音声通信が開始されると、親機３は、無線処理部ＷＵ５で受信した音声信号をスピーカ２９で再生することもできるし、又は、ミキサー受信機８に出力する。ミキサー受信機８は、無線処理部ＷＵ５で受信した音声信号と、他の無線処理部で受信した音声信号とを合成して音声合成された音声信号を出力する。
【０１２０】
一方、マイク子機２Ｃｍは、例えばユーザ操作による電源オンで起動すると（Ｔ６８）、無線処理部ＷＵ１からの制御情報Ｊ４を受信する。起動後、マイク子機２Ｃｍは、無線処理部ＷＵ１との間で通信を行うための同期を確立する。マイク子機２Ｃｍは、受信された制御情報Ｊ４を基に、使用可能な中心周波数ｆｘ２のキャリアとスロットＳｙ２（例えば、ＤＥＣＴ通信においては、ｘ１は１〜６の整数のいずれか、ｙ１は１〜１２の整数のいずれか）を用いて、例えばｆｘ２（ｘ２＝６）かつスロットＳｙ２（ｙ２＝６）を用いて無線処理部ＷＵ１に対し音声接続を要求する（Ｔ６９）。
【０１２１】
無線処理部ＷＵ１は、マイク子機２Ｃｍからの音声接続要求に応答する（Ｔ７０）。無線処理部ＷＵ１は、親機制御部２０を介して、サブ無線処理部（例えば無線処理部ＷＵｋ）に対しマイク子機２Ｃｍから要求された中心周波数ｆ６のキャリア及びスロットＳ６を用いた音声接続を通知する（Ｔ７１）。
【０１２２】
無線処理部ＷＵｋに中心周波数ｆ６のキャリア及びスロットＳ６を用いた音声接続が通知されると、無線処理部ＷＵｋとマイク子機２Ｃｍとの間で、中心周波数ｆ６のキャリアかつスロットＳ６を用いた音声通信が開始される（Ｔ７２）。音声通信が開始されると、親機３は、無線処理部ＷＵｋで受信した音声信号をスピーカ２９で再生することもできるし、又は、ミキサー受信機８に出力する。ミキサー受信機８は、無線処理部ＷＵｋで受信した音声信号と、他の無線処理部で受信した音声信号とを合成して音声合成された音声信号を出力する。
【０１２３】
その後、マイク子機２Ｃ１は、例えばユーザ操作による電源オフになると（Ｔ７３）、無線処理部ＷＵ１に対し音声切断を要求する（Ｔ７４）。無線処理部ＷＵ１は、マイク子機２Ｃ１からの音声切断に応答する（Ｔ７５）。無線処理部ＷＵ１は、親機制御部２０を介して、無線処理部ＷＵ５に対し中心周波数ｆ１のキャリア及びスロットＳ２を用いた音声切断を通知する（Ｔ７６）。無線処理部ＷＵ５は、マイク子機２Ｃ１との音声通信を切断する（Ｔ７７）。
【０１２４】
また、マイク子機２Ｃｍは、例えばユーザ操作による電源オフになると（Ｔ７８）、無線処理部ＷＵ１に対し音声切断を要求する（Ｔ７９）。無線処理部ＷＵ１は、マイク子機２Ｃｍからの音声切断に応答する（Ｔ８０）。さらに、無線処理部ＷＵ１は、親機制御部２０を介して、無線処理部ＷＵｋに対し中心周波数ｆ６のキャリア及びスロットＳ６を用いた音声切断を通知する（Ｔ８１）。無線処理部ＷＵｋは、無線処理部ＷＵ１から音声切断の通知を受けると、マイク子機２Ｃｍとの音声通信を切断する（Ｔ８２）。
【０１２５】
マイク子機２Ｃ１，２Ｃｍとの間で音声が切断されると、無線処理部ＷＵ１は、手順Ｔ６１と同様、制御情報の報知を継続する（Ｔ８３）。以後、同様の動作が行われる。
【０１２６】
図１８は、親機３におけるメイン無線処理部の無線制御部の動作手順の一例を示すフローチャートである。図１７と同様に、メイン無線処理部を無線処理部ＷＵ１とし、サブ無線処理部を無線処理部ＷＵ２〜ＷＵｋとして説明する。メイン無線処理部に対応する無線制御部３１１は、ＤＥＣＴ通信の１フレーム期間毎又は数フレーム期間毎に、上述した制御情報Ｊ４を全てのマイク子機２に報知する（ＳＴ５１）。制御情報Ｊ４の報知後、無線制御部３１１は、いずれかのマイク子機２から音声接続要求があったか否かを判別する（ＳＴ５２）。接続要求が無い場合（ＳＴ５２、ＮＯ）、無線制御部３１１の処理はステップＳＴ５１に戻り、無線制御部３１１は、例えば、ＤＥＣＴ通信の次の１フレーム期間において、制御情報Ｊ４を再度報知する。
【０１２７】
一方、無線制御部３１１は、いずれかのマイク子機２から音声接続要求があった場合（ＳＴ５２、ＹＥＳ）、制御情報Ｊ４を基に、そのマイク子機２が要求するキャリア及びスロットを用いてサブ無線処理部（例えば無線処理部ＷＵ２）が音声接続可能であるか否かを判別する（ＳＴ５３）。音声接続できない場合（ＳＴ５３、ＮＯ）、無線制御部３１１は、他のサブ無線処理部（例えば無線処理部ＷＵ３）で音声接続可能であるか否かを判別する（ＳＴ５４）。そのサブ無線処理部で音声接続できない場合（ＳＴ５３、ＮＯ）、無線制御部３１１は、同様の判別処理を繰り返し、最後のサブ無線処理部ＷＵｋで音声接続可能であるか否かを判別する（ＳＴ５５）。
【０１２８】
最後のサブ無線処理部（例えば無線処理部ＷＵｋ）で音声接続できない場合（ＳＴ５５、ＮＯ）、無線制御部３１１は、マイク子機２に対し音声接続拒否を応答する（ＳＴ５６）。この後、無線制御部３１１の処理はステップＳＴ５２に戻る。
【０１２９】
一方、サブ無線処理部（例えば無線処理部ＷＵ２）が音声接続可能である場合（ＳＴ５３、ＹＥＳ）、無線制御部３１１は、そのサブ無線処理部に対し、マイク子機２が要求するキャリア及びスロットを通知する（ＳＴ５７）。無線制御部３１１は、そのマイク子機２に対し音声接続を応答する（ＳＴ６０）。これにより、サブ無線処理部（例えば無線処理部ＷＵ２）とマイク子機２の間で音声通信が開始される。
【０１３０】
また、サブ無線処理部（例えば無線処理部ＷＵ３）が音声接続可能である場合（ＳＴ５４、ＹＥＳ）、無線制御部３１１は、そのサブ無線処理部に対し、マイク子機２が要求するキャリア及びスロットを通知する（ＳＴ５８）。無線制御部３１１は、そのマイク子機２に対し音声接続を応答する（ＳＴ６０）。これにより、サブ無線処理部（例えば無線処理部ＷＵ３）とマイク子機２の間で音声通信が開始される。
【０１３１】
同様に、サブ無線処理部（例えば無線処理部ＷＵｋ）が音声接続可能である場合（ＳＴ５５、ＹＥＳ）、無線制御部３１１は、そのサブ無線処理部に対し、マイク子機２が要求するキャリア及びスロットを通知する（ＳＴ５９）。無線制御部３１１は、そのマイク子機２に対し音声接続を応答する（ＳＴ６０）。これにより、サブ無線処理部（例えば無線処理部ＷＵｋ）とマイク子機２の間で音声通信が開始される。
【０１３２】
その後、無線処理部ＷＵ１は、音声通信が開始されたマイク子機２からキャリア及びスロットの音声切断要求があったか否かを判別する（ＳＴ６１）。音声切断要求が無い場合（ＳＴ６１、ＮＯ）、メイン無線処理部（例えば無線処理部ＷＵ１）は、ステップＳＴ６１の処理を繰り返す。また、マイク子機２から音声切断要求があった場合（ＳＴ６１、ＹＥＳ）、無線制御部３１１は、サブ無線処理部（例えば無線処理部ＷＵ２）による音声通信が行われていたか否かを判別する（ＳＴ６２）。そのサブ無線処理部による音声通信が行われていた場合（ＳＴ６２、ＹＥＳ）、無線制御部３１１は、そのサブ無線処理部に対し、マイク子機２との音声通信切断を通知する（ＳＴ６３）。無線処理部ＷＵ１は、マイク子機２に対し音声切断を応答する（ＳＴ６４）。この後、無線処理部ＷＵ２の無線制御部３１２は、マイク子機２との音声通信を切断する。
【０１３３】
一方、サブ無線処理部ＷＵ２による音声通信が行われていない場合（ＳＴ６２、ＮＯ）、メイン無線処理部（例えば無線処理部ＷＵ１）は、他のサブ無線処理部（例えば無線処理部ＷＵ３）による音声通信が行われていたか否かを判別する（ＳＴ６５）。そのサブ無線処理部による音声通信が行われていた場合（ＳＴ６５、ＹＥＳ）、無線制御部３１１は、親機制御部２０を介して、そのサブ無線処理部に音声切断を通知する（ＳＴ６６）。無線制御部３１１は、マイク子機２に対し音声切断を応答する（ＳＴ６４）。この後、無線処理部ＷＵ３の無線制御部３１３は、マイク子機２との間で音声通信を切断する。
【０１３４】
また、サブ無線処理部ＷＵ３による音声通信が行われていない場合（ＳＴ６５、ＮＯ）、メイン無線処理部は、ステップＳＴ６２，ＳＴ６５と同様の判別処理（つまり、他のサブ無線処理部による音声通信が行われていたかどうかの判別処理）を繰り返す。サブ無線処理部（つまり、無線処理部ＷＵ４〜ＷＵｋ−１）のいずれにおいても音声通信が行われていない場合、無線制御部３１１は、親機制御部２０を介して、サブ無線処理部ＷＵｋに音声切断を通知する（ＳＴ６７）。無線制御部３１１は、マイク子機２に対し音声切断を応答する（ＳＴ６４）。この後、無線処理部ＷＵｋの無線制御部３１ｋは、マイク子機２との音声通信を切断する。
【０１３５】
音声切断後、無線制御部３１１の処理はステップＳＴ５１に戻り、無線制御部３１１は、例えば、ＤＥＣＴ通信の次の１フレーム期間において、再び制御情報をフレーム間隔で報知する。
【０１３６】
以上により、実施の形態３のワイヤレスマイクシステム５では、ｋ個の無線処理部ＷＵは、１個のメイン無線処理部（例えば無線処理部ＷＵ１）及び（ｋ−１）個のサブ無線処理部（例えば無線処理部ＷＵ２〜ＷＵｋ）を有する。親機制御部２０は、１個の無線処理部ＷＵ１が１フレーム期間に通信可能なマイク子機２の数をゼロと設定し、さらに、（ｋ−１）個のサブ無線処理部ＷＵ２〜ＷＵｋのそれぞれが１フレーム期間に通信可能なマイクの数を（ｎ／２）と設定する。
【０１３７】
これにより、親機３において、メイン無線処理部は、全てのマイク子機との無線制御に集中制御することができる。従って、親機３は、実施の形態１，２に比べて、マイク子機２との無線制御を必要とする無線処理部の数を更に減らすことができ、低コストで多重数を増加できる。また、更にメイン無線処理部が１つとなったことで、親機制御部２０の一部機能をメイン無線処理部に持たせることにより、親機制御部２０の機能が信号合成の処理機能に特化することによって、親機制御部２０を安価なＦＰＧＡ（Field Programmable Gate Array）などによって実現可能となり、より低コストで多重数を増加することが可能となる。
【０１３８】
また、１個のメイン無線処理部ＷＵ１は、ｍ個のうち該当するマイク子機２からの接続に関する信号の通信を行う。（ｋ−１）個のサブ無線処理部（例えば、無線処理部ＷＵ２〜ＷＵｋ）は、メイン無線処理部（例えば、無線処理部ＷＵ１）により、ｍ個のうち該当するマイク子機２との音声通信の接続制御が行われた後、そのマイク子機２からの音声信号を受信する。これにより、無線処理部ＷＵ２〜ＷＵｋは、音声通信の接続制御を行わない分、通信チャネルに割り当てられるスロットを増やすことができる。これにより、同時に通信可能なマイク子機の数を増やすことができる。
【０１３９】
また、１個のメイン無線処理部ＷＵ１は、ｍ個のうち該当するマイク子機２からの切断に関する信号の通信を行う。（ｋ−１）個のサブ無線処理部（例えば、無線処理部ＷＵ２〜ＷＵｋ）は、メイン無線処理部（例えば、無線処理部ＷＵ１）により、ｍ個のうち該当するマイク子機２との切断に関する信号の通信が行われた後、そのマイク子機２との音声通信を切断する。これにより、無線処理部ＷＵ２〜ＷＵｋは、音声通信の切断制御を行わない分、通信チャネルに割り当てられるスロットを増やすことができる。これにより、同時に通信可能なマイク子機の数を増やすことができる。
【０１４０】
なお、実施の形態３では、親機３に含まれる全ての無線処理部ＷＵ１〜ＷＵｋを、１つのメイン無線処理部とその他のサブ無線処理部とに分けたが、メイン無線処理部の数は１つに限定されない。例えば、ｋ個の無線処理部のうち、一部（例えば、２〜３個）のメイン無線処理部とその他の（例えば、（ｋ−３）〜（ｋ−２）個の）サブ無線処理部とに分けてもよい。
【０１４１】
以上、図面を参照しながら各種の実施の形態について説明したが、本開示はかかる例に限定されないことは言うまでもない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。また、発明の趣旨を逸脱しない範囲において、上述した各種の実施の形態における各構成要素を任意に組み合わせてもよい。
【０１４２】
例えば、上述した実施の形態では、前述したように、ＤＥＣＴ方式の無線通信の１フレーム期間において、前半（ダウンリンク用）のスロットＳ０〜Ｓ１１に対し、キャリアかつスロット毎に無線処理部とマイク子機を通信チャネル及び制御チャネルに対応付けることを示した。後半（アップリンク用）のスロットＳ１２〜Ｓ２３に対しても、同様に、キャリアかつスロット毎に無線処理部とマイク子機を通信チャネルに対応付けてもよい。
【０１４３】
また、上述した実施の形態では、各無線処理部ＷＵは、親機制御部２０から通信テーブル１００を受け取り、通信テーブル１００を基に接続可能なマイク子機を判断していたが、親機制御部２０が通信テーブル１００を基に全ての無線処理部ＷＵと接続可能なマイク子機を判断してもよい。
【０１４４】
また、上述した実施の形態では、通信方式として、周波数帯１．９ＧＨｚのＤＥＣＴが用いられたが、この周波数帯及び通信規格に限らず、周波数帯２．４ＧＨｚの無線ＬＡＮ等の通信方式が用いられてもよい。
【産業上の利用可能性】
【０１４５】
本開示は、通信相手であるマイクとの間で行われる通信に関する通信方式において１フレーム期間を構成する既定のスロット数以上のマイクとの多重を可能とした上でそれぞれのマイクとの間で通信を行い、音質の良好な音声信号を出力する通信装置、ワイヤレスマイクシステム及び通信方法として有用である。
【符号の説明】
【０１４６】
２、２Ｃ１、２Ｃ２、２Ｃ３、２Ｃ４、２Ｃ５、２Ｃｍ  マイク子機
３  親機
５  ワイヤレスマイクシステム
８  ミキサー受信機
１０  マイク制御部
２０  親機制御部
２３  操作部
２４  表示部
２５  記憶部
２６  電源
２８  音声処理部
２９  スピーカ
３０  外部Ｉ／Ｆ部
２１１、２１２、２１３、２１ｋ  無線部
２２１、２２２、２２３、２２ｋ  無線アンテナ
２７１、２７２、２７３、２７ｋ  メモリ
３１１、３１２、３１３、３１ｋ  無線制御部
１００  通信テーブル
ＷＵ１、ＷＵ２、ＷＵ３、ＷＵｋ  無線処理部
【図１】
2019118045.tif 000004
【図２】
2019118045.tif 000005
【図３】
2019118045.tif 000006
【図４】
2019118045.tif 000007
【図５】
2019118045.tif 000008
【図６】
2019118045.tif 000009
【図７】
2019118045.tif 000010
【図８】
2019118045.tif 000011
【図９】
2019118045.tif 000012
【図１０】
2019118045.tif 000013
【図１１】
2019118045.tif 000014
【図１２】
2019118045.tif 000015
【図１３】
2019118045.tif 000016
【図１４】
2019118045.tif 000017
【図１５】
2019118045.tif 000018
【図１６】
2019118045.tif 000019
【図１７】
2019118045.tif 000020
【図１８】
2019118045.tif 000021
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
ｍ個のマイクのうちいずれかと通信を行うｋ個の無線処理部と、
ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信を前記ｋ個の無線処理部のうち少なくとも２つ以上に実行させることを規定したテーブルを生成する制御部と、を備え、
前記ｋ個の無線処理部は、それぞれ同一のクロック信号に基づいて同期して動作し、
前記ｍ個のマイクの通信可能なチャネル数Ｃは、Ｃ＞ｋ＊｛（ｎ／２）−１｝である（＊：乗算の演算子）、
通信装置。
【請求項２】
前記ｋ個の無線処理部のうちいずれかは、前記クロック信号を生成して残りの（ｋ−１）個の前記無線処理部に供給する、
請求項１に記載の通信装置。
【請求項３】
前記ｋ個の無線処理部は、前記テーブルに基づいて、前記ｍ個のうち該当するマイクから、搬送波及びスロットの各情報を含む音声接続要求を受信すると、そのマイクとの間で通信を開始する、
請求項１に記載の通信装置。
【請求項４】
前記ｋ個の無線処理部は、通信が行われていた前記ｍ個のうち該当するマイクから、音声切断要求を受信すると、そのマイクとの間で通信を終了する、
請求項３に記載の通信装置。
【請求項５】
ｋは、２以上の偶数であり、
前記ｋ個の無線処理部は、それぞれ１対１のペアを構成する（ｋ／２）個のメイン無線処理部及び（ｋ／２）個のサブ無線処理部を有し、
前記制御部は、それぞれ１対１のペアを構成する前記メイン無線処理部及び前記サブ無線処理部において、そのメイン無線処理部が前記１フレーム期間に通信可能なマイクの数より、そのサブ無線処理部が前記１フレーム期間に通信可能なマイクの数を多くなるように前記テーブルを生成する、
請求項１に記載の通信装置。
【請求項６】
前記ペアを構成するメイン無線処理部は、前記ｍ個のうち該当するマイクからの接続に関する信号の通信を行い、
前記ペアを構成するサブ無線処理部は、自己とペアを構成する前記メイン無線処理部により、前記ｍ個のうち該当するマイクとの前記接続に関する信号の通信が行われた後、そのマイクからの音声信号を受信する、
請求項５に記載の通信装置。
【請求項７】
前記ペアを構成するメイン無線処理部は、前記ｍ個のうち該当するマイクからの切断に関する信号の通信を行い、
前記ペアを構成するサブ無線処理部は、自己とペアを構成する前記メイン無線処理部により、前記ｍ個のうち該当するマイクとの前記切断に関する信号の通信が行われた後、そのマイクとの音声通信を切断する、
請求項５に記載の通信装置。
【請求項８】
前記ｋ個の無線処理部は、１個のメイン無線処理部及び（ｋ−１）個のサブ無線処理部を有し、
前記制御部は、前記１個のメイン無線処理部が前記１フレーム期間に通信可能なマイクの数をゼロと設定し、さらに、前記（ｋ−１）個のサブ無線処理部のそれぞれが前記１フレーム期間に通信可能なマイクの数を（ｎ／２）と設定する、
請求項１に記載の通信装置。
【請求項９】
前記１個のメイン無線処理部は、前記ｍ個のうち該当するマイクからの接続に関する信号の通信を行い、
前記（ｋ−１）個のサブ無線処理部は、前記メイン無線処理部により、前記ｍ個のうち該当するマイクとの前記接続に関する信号の通信が行われた後、そのマイクからの音声信号を受信する、
請求項８に記載の通信装置。
【請求項１０】
前記１個のメイン無線処理部は、前記ｍ個のうち該当するマイクからの切断に関する信号の通信を行い、
前記（ｋ−１）個のサブ無線処理部は、前記メイン無線処理部により、前記ｍ個のうち該当するマイクとの前記切断に関する信号の通信が行われた後、そのマイクとの音声通信を切断する、
請求項８に記載の通信装置。
【請求項１１】
親機とｍ（ｍ：２以上の整数）個のマイクとが通信可能に接続されるワイヤレスマイクシステムであって、
前記親機は、
ｍ個のマイクのうちいずれかと通信を行うｋ個の無線処理部と、
ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信を前記ｋ個の無線処理部のうち少なくとも２つ以上に実行させることを規定したテーブルを生成する制御部と、を備え、
前記ｋ個の無線処理部は、それぞれ同一のクロック信号に基づいて同期して動作し、
前記ｍ個のマイクの通信可能なチャネル数Ｃは、Ｃ＞ｋ＊｛（ｎ／２）−１｝である（＊：乗算の演算子）、
ワイヤレスマイクシステム。
【請求項１２】
ｍ（ｍ：２以上の整数）個のマイクとの間で通信可能に接続される通信装置を用いた通信方法であって、
ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信をｋ（ｋ：２以上の整数）個の無線処理部のうち少なくとも２つ以上に実行させることを規定したテーブルを生成するステップと、
前記通信装置が有するｋ個の無線処理部により、生成された前記テーブルに基づいて、前記ｍ個のうち該当する個々のマイクとの間で、前記ＤＥＣＴ通信方式を用いた通信を行うステップと、を備え、
前記ｋ個の無線処理部により通信を行うステップは、それぞれ同一のクロック信号に基づいて同期して動作するステップを有し、
さらに、前記ｍ個のマイクの通信可能なチャネル数Ｃは、Ｃ＞ｋ＊｛（ｎ／２）−１｝である（＊：乗算の演算子）、
通信方法。
【手続補正２】
【補正対象書類名】明細書
【補正対象項目名】０００７
【補正方法】変更
【補正の内容】
【０００７】
本開示は、ｍ個のマイクのうちいずれかと通信を行うｋ個の無線処理部と、ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信を前記ｋ個の無線処理部のうち少なくとも２つ以上に実行させることを規定したテーブルを生成する制御部と、を備え、前記ｋ個の無線処理部は、それぞれ同一のクロック信号に基づいて同期して動作し、前記ｍ個のマイクの通信可能なチャネル数Ｃは、Ｃ＞ｋ＊｛（ｎ／２）−１｝である、通信装置を提供する。
【手続補正３】
【補正対象書類名】明細書
【補正対象項目名】０００８
【補正方法】変更
【補正の内容】
【０００８】
また、本開示は、親機とｍ（ｍ：２以上の整数）個のマイクとが通信可能に接続されるワイヤレスマイクシステムであって、前記親機は、ｍ個のマイクのうちいずれかと通信を行うｋ個の無線処理部と、ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信を前記ｋ個の無線処理部のうち少なくとも２つ以上に実行させることを規定したテーブルを生成する制御部と、を備え、前記ｋ個の無線処理部は、それぞれ同一のクロック信号に基づいて同期して動作し、前記ｍ個のマイクの通信可能なチャネル数Ｃは、Ｃ＞ｋ＊｛（ｎ／２）−１｝である、ワイヤレスマイクシステムを提供する。
【手続補正４】
【補正対象書類名】明細書
【補正対象項目名】０００９
【補正方法】変更
【補正の内容】
【０００９】
また、本開示は、ｍ（ｍ：２以上の整数）個のマイクとの間で通信可能に接続される通信装置を用いた通信方法であって、ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信をｋ（ｋ：２以上の整数）個の無線処理部のうち少なくとも２つ以上に実行させることを規定したテーブルを生成するステップと、前記通信装置が有するｋ個の無線処理部により、生成された前記テーブルに基づいて、前記ｍ個のうち該当する個々のマイクとの間で、前記ＤＥＣＴ通信方式を用いた通信を行うステップと、を備え、前記ｋ個の無線処理部により通信を行うステップは、それぞれ同一のクロック信号に基づいて同期して動作するステップを有し、さらに、前記ｍ個のマイクの通信可能なチャネル数Ｃは、Ｃ＞ｋ＊｛（ｎ／２）−１｝である、通信方法を提供する。
【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
ｍ個のマイクのうちいずれかと通信を行うｋ個の無線処理部と、
ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信を前記ｋ個の無線処理部のうち少なくとも２つ以上に実行させることを規定したテーブルを生成する制御部と、を備え、
前記ｋ個の無線処理部は、それぞれ同一のクロック信号に基づいて同期して動作し、
前記ｍ個のマイクの通信可能なチャネル数Ｃは、Ｃ＞「搬送波数」＊｛（ｎ／２）−１｝であり（＊：乗算の演算子）、
ｋは、４以上の偶数であり、
前記ｋ個の無線処理部は、それぞれ１対１のペアを構成する（ｋ／２）個のメイン無線処理部及び（ｋ／２）個のサブ無線処理部を有し、
前記制御部は、それぞれ１対１のペアを構成する前記メイン無線処理部及び前記サブ無線処理部において、そのメイン無線処理部が前記１フレーム期間に通信可能なマイクの数より、そのサブ無線処理部が前記１フレーム期間に通信可能なマイクの数を多くなるように前記テーブルを生成する、
通信装置。
【請求項２】
前記ｋ個の無線処理部のうちいずれかは、前記クロック信号を生成して残りの（ｋ−１）個の前記無線処理部に供給する、
請求項１に記載の通信装置。
【請求項３】
前記ｋ個の無線処理部は、前記テーブルに基づいて、前記ｍ個のうち該当するマイクから、搬送波及びスロットの各情報を含む音声接続要求を受信すると、そのマイクとの間で通信を開始する、
請求項１に記載の通信装置。
【請求項４】
前記ｋ個の無線処理部は、通信が行われていた前記ｍ個のうち該当するマイクから、音声切断要求を受信すると、そのマイクとの間で通信を終了する、
請求項３に記載の通信装置。
【請求項５】
前記ペアを構成するメイン無線処理部は、前記ｍ個のうち該当するマイクからの接続に関する信号の通信を行い、
前記ペアを構成するサブ無線処理部は、自己とペアを構成する前記メイン無線処理部により、前記ｍ個のうち該当するマイクとの前記接続に関する信号の通信が行われた後、そのマイクからの音声信号を受信する、
請求項１に記載の通信装置。
【請求項６】
前記ペアを構成するメイン無線処理部は、前記ｍ個のうち該当するマイクからの切断に関する信号の通信を行い、
前記ペアを構成するサブ無線処理部は、自己とペアを構成する前記メイン無線処理部により、前記ｍ個のうち該当するマイクとの前記切断に関する信号の通信が行われた後、そのマイクとの音声通信を切断する、
請求項１に記載の通信装置。
【請求項７】
親機とｍ（ｍ：２以上の整数）個のマイクとが通信可能に接続されるワイヤレスマイクシステムであって、
前記親機は、
ｍ個のマイクのうちいずれかと通信を行うｋ個の無線処理部と、
ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信を前記ｋ個の無線処理部のうち少なくとも２つ以上に実行させることを規定したテーブルを生成する制御部と、を備え、
前記ｋ個の無線処理部は、それぞれ同一のクロック信号に基づいて同期して動作し、
前記ｍ個のマイクの通信可能なチャネル数Ｃは、Ｃ＞「搬送波数」＊｛（ｎ／２）−１｝であり（＊：乗算の演算子）、
ｋは、４以上の偶数であり、
前記ｋ個の無線処理部は、それぞれ１対１のペアを構成する（ｋ／２）個のメイン無線処理部及び（ｋ／２）個のサブ無線処理部を有し、
前記制御部は、それぞれ１対１のペアを構成する前記メイン無線処理部及び前記サブ無線処理部において、そのメイン無線処理部が前記１フレーム期間に通信可能なマイクの数より、そのサブ無線処理部が前記１フレーム期間に通信可能なマイクの数を多くなるように前記テーブルを生成する、
ワイヤレスマイクシステム。
【請求項８】
ｍ（ｍ：２以上の整数）個のマイクとの間で通信可能に接続される通信装置を用いた通信方法であって、
ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信をｋ（ｋ：２以上の整数）個の無線処理部のうち少なくとも２つ以上に実行させることを規定したテーブルを生成するステップと、
前記通信装置が有するｋ個の無線処理部により、生成された前記テーブルに基づいて、前記ｍ個のうち該当する個々のマイクとの間で、前記ＤＥＣＴ通信方式を用いた通信を行うステップと、を備え、
前記ｋ個の無線処理部により通信を行うステップは、それぞれ同一のクロック信号に基づいて同期して動作するステップを有し、
さらに、前記ｍ個のマイクの通信可能なチャネル数Ｃは、Ｃ＞「搬送波数」＊｛（ｎ／２）−１｝であり（＊：乗算の演算子）、
ｋは、４以上の偶数であり、
前記ｋ個の無線処理部は、それぞれ１対１のペアを構成する（ｋ／２）個のメイン無線処理部及び（ｋ／２）個のサブ無線処理部を有し、
前記テーブルを生成するステップは、それぞれ１対１のペアを構成する前記メイン無線処理部及び前記サブ無線処理部において、そのメイン無線処理部が前記１フレーム期間に通信可能なマイクの数より、そのサブ無線処理部が前記１フレーム期間に通信可能なマイクの数を多くなるように前記テーブルを生成するステップを有する、
通信方法。
【手続補正２】
【補正対象書類名】明細書
【補正対象項目名】０００７
【補正方法】変更
【補正の内容】
【０００７】
本開示は、ｍ個のマイクのうちいずれかと通信を行うｋ個の無線処理部と、ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信を前記ｋ個の無線処理部のうち少なくとも２つ以上に実行させることを規定したテーブルを生成する制御部と、を備え、前記ｋ個の無線処理部は、それぞれ同一のクロック信号に基づいて同期して動作し、前記ｍ個のマイクの通信可能なチャネル数Ｃは、Ｃ＞「搬送波数」＊｛（ｎ／２）−１｝であり、ｋは、４以上の偶数であり、前記ｋ個の無線処理部は、それぞれ１対１のペアを構成する（ｋ／２）個のメイン無線処理部及び（ｋ／２）個のサブ無線処理部を有し、前記制御部は、それぞれ１対１のペアを構成する前記メイン無線処理部及び前記サブ無線処理部において、そのメイン無線処理部が前記１フレーム期間に通信可能なマイクの数より、そのサブ無線処理部が前記１フレーム期間に通信可能なマイクの数を多くなるように前記テーブルを生成する、通信装置を提供する。
【手続補正３】
【補正対象書類名】明細書
【補正対象項目名】０００８
【補正方法】変更
【補正の内容】
【０００８】
また、本開示は、親機とｍ（ｍ：２以上の整数）個のマイクとが通信可能に接続されるワイヤレスマイクシステムであって、前記親機は、ｍ個のマイクのうちいずれかと通信を行うｋ個の無線処理部と、ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信を前記ｋ個の無線処理部のうち少なくとも２つ以上に実行させることを規定したテーブルを生成する制御部と、を備え、前記ｋ個の無線処理部は、それぞれ同一のクロック信号に基づいて同期して動作し、前記ｍ個のマイクの通信可能なチャネル数Ｃは、Ｃ＞「搬送波数」＊｛（ｎ／２）−１｝であり、ｋは、４以上の偶数であり、前記ｋ個の無線処理部は、それぞれ１対１のペアを構成する（ｋ／２）個のメイン無線処理部及び（ｋ／２）個のサブ無線処理部を有し、前記制御部は、それぞれ１対１のペアを構成する前記メイン無線処理部及び前記サブ無線処理部において、そのメイン無線処理部が前記１フレーム期間に通信可能なマイクの数より、そのサブ無線処理部が前記１フレーム期間に通信可能なマイクの数を多くなるように前記テーブルを生成する、ワイヤレスマイクシステムを提供する。
【手続補正４】
【補正対象書類名】明細書
【補正対象項目名】０００９
【補正方法】変更
【補正の内容】
【０００９】
また、本開示は、ｍ（ｍ：２以上の整数）個のマイクとの間で通信可能に接続される通信装置を用いた通信方法であって、ＤＥＣＴ通信方式に基づく複数の搬送波と、前記ＤＥＣＴ通信方式の１フレーム期間を構成するｎ（ｎ：既定の正の整数）個のスロットとを用いて、少なくとも１つの前記スロットに、前記ｍ個のマイクのうち少なくとも２つ以上との間で前記複数の搬送波のうち異なる搬送波を用いた通信をｋ（ｋ：２以上の整数）個の無線処理部のうち少なくとも２つ以上に実行させることを規定したテーブルを生成するステップと、前記通信装置が有するｋ個の無線処理部により、生成された前記テーブルに基づいて、前記ｍ個のうち該当する個々のマイクとの間で、前記ＤＥＣＴ通信方式を用いた通信を行うステップと、を備え、前記ｋ個の無線処理部により通信を行うステップは、それぞれ同一のクロック信号に基づいて同期して動作するステップを有し、さらに、前記ｍ個のマイクの通信可能なチャネル数Ｃは、Ｃ＞「搬送波数」＊｛（ｎ／２）−１｝であり、ｋは、４以上の偶数であり、前記ｋ個の無線処理部は、それぞれ１対１のペアを構成する（ｋ／２）個のメイン無線処理部及び（ｋ／２）個のサブ無線処理部を有し、前記テーブルを生成するステップは、それぞれ１対１のペアを構成する前記メイン無線処理部及び前記サブ無線処理部において、そのメイン無線処理部が前記１フレーム期間に通信可能なマイクの数より、そのサブ無線処理部が前記１フレーム期間に通信可能なマイクの数を多くなるように前記テーブルを生成するステップを有する、通信方法を提供する。